(57)【要約】【課題】本発明は、操作性を向上させる。【解決手段】本発明は、情報読取装置３が印刷物２の印刷面に印刷された番組表１０内の所望の番組の印刷番組情報を撮像して当該印刷番組情報を読み取り、記録再生装置４が現在日時と印刷番組情報とに基づいて所望の番組の番組データを記録するか再生するかを判別し、当該番組データを記録すると判別すると、印刷番組情報に基づいて所望の番組の番組データを記録し、番組データを再生すると判別すると、印刷番組情報に基づいて、すでに記録した所望の番組の番組データを再生することにより、所望の番組の番組データの記録と再生との何れを要求する場合でも、印刷物２の印刷面に印刷されている印刷番組情報を撮像するための操作を行わせるだけでよく、操作を簡易化することができ、操作性を向上させることができる。【選択図】図１
2010062646.tif 000002
【特許請求の範囲】
【請求項１】
印刷物の印刷面に印刷された番組表内の所望の番組の印刷番組情報を読み取る情報読取装置から、当該印刷面の上記印刷番組情報が読み取られて送信されると、当該送信された上記印刷番組情報を受信する受信部と、
現在日時と、上記受信部により受信された上記印刷番組情報とに基づいて、当該印刷番組情報が示す上記所望の番組の番組データを記録するか再生するかを判別する判別部と、
上記判別部により上記所望の番組の上記番組データを記録すると判別されると、上記印刷番組情報に基づいて上記所望の番組の上記番組データを記録する記録部と、
上記判別部により上記所望の番組の上記番組データを再生すると判別されると、上記印刷番組情報に基づいて、上記記録部によりすでに記録された上記所望の番組の上記番組データを再生する再生部と
を具える記録再生装置。
【請求項２】
上記現在日時よりも後に放送予定の番組の番組データの記録を放送時間指定で予約する記録予約情報を生成する予約情報生成部
を具え、
上記判別部は、
上記現在日時と上記印刷番組情報とに基づいて、上記印刷番組情報が示す上記所望の番組が上記現在日時よりも後の放送予定であると、当該所望の番組の上記番組データを記録すると判別すると共に、上記印刷番組情報が示す上記所望の番組が現在放送中であると、当該所望の番組の上記番組データを記録すると判別し、
上記予約情報生成部は、
上記判別部により上記現在日時よりも後に放送予定の上記所望の番組の上記番組データを記録すると判別されると、上記印刷番組情報に基づいて上記所望の番組の上記番組データの上記記録予約情報を生成し、
上記記録部は、
上記判別部により上記現在日時よりも後に放送予定の上記所望の番組の上記番組データを記録すると判別されると、上記予約情報生成部により生成された上記記録予約情報に従って上記所望の番組の上記番組データを記録し、上記判別部により現在放送中の上記所望の番組の上記番組データを記録すると判別されると、上記印刷番組情報に基づいて上記所望の番組の放送途中から上記番組データを記録する
請求項１に記載の記録再生装置。
【請求項３】
放送予定の複数の電子番組情報が記述された電子番組案内情報を取得する案内情報取得部
を具え、
上記予約情報生成部は、
上記判別部により上記現在日時よりも後に放送予定の上記所望の番組の上記番組データを記録すると判別されると、上記電子番組案内情報から上記印刷番組情報が示す上記所望の番組の上記電子番組情報を検出し、当該検出した上記電子番組情報に基づいて上記記録予約情報を生成し、
上記記録部は、
上記判別部により現在放送中の上記所望の番組の上記番組データを記録すると判別されると、上記電子番組案内情報から上記印刷番組情報が示す上記所望の番組の上記電子番組情報を検出し、当該検出した上記電子番組情報に基づいて上記所望の番組の放送途中から上記番組データを記録する
請求項２に記載の記録再生装置。
【請求項４】
上記予約情報生成部により上記記録予約情報が生成されると、記録予約の完了を通知するための予約完了通知信号を上記情報読取装置に送信し、上記記録部により上記所望の番組の放送途中から上記番組データの記録が開始されると、当該記録開始を通知するための記録開始通知信号を上記情報読取装置に送信する送信部
を具える請求項３に記載の記録再生装置。
【請求項５】
上記予約情報生成部は、
上記判別部により上記現在日時よりも後に放送予定の上記所望の番組の上記番組データを記録すると判別されたとき、上記電子番組案内情報に上記所望の番組の上記電子番組情報が記述されていないと、上記記録予約情報の生成を保留し、上記電子番組案内情報の内容が更新される毎に、当該更新された上記電子番組案内情報に上記所望の番組の上記電子番組情報が記述されているか否かを検出するようにして、上記電子番組案内情報に上記所望の番組の上記電子番組情報が記述されていることを検出すると、上記記録予約情報を生成する
請求項４に記載の記録再生装置。
【請求項６】
上記送信部は、
上記予約情報生成部により上記記録予約情報の生成が保留されると、記録予約の保留をを通知するための予約保留通知信号を上記情報読取装置に送信する
請求項５に記載の記録再生装置。
【請求項７】
上記記録部は、
上記番組データを記録したとき、上記印刷番組情報を当該番組データに対応付けて記録し、
上記判別部は、
上記現在日時と上記印刷番組情報とに基づいて、上記印刷番組情報が示す上記所望の番組の放送がすでに終了していると、当該所望の番組の上記番組データを再生すると判別し、
上記再生部は、
上記判別部により上記所望の番組の上記番組データを再生すると判別されると、上記印刷番組情報を基づいて、上記記録部により上記所望の番組の上記番組データがすでに記録されているか否かを検出し、上記記録部によりすでに上記所望の番組の上記番組データが記録されていると、当該番組データを再生し、上記記録部により上記所望の番組の上記番組データが記録されてはいないと、当該記録部によりすでに記録された他の番組の番組データを再生する
請求項６に記載の記録再生装置。
【請求項８】
印刷物の印刷面に印刷された番組表内の所望の番組の印刷番組情報を撮像して撮像画像を生成する撮像部と、
上記撮像部により生成された上記撮像画像に基づいて上記印刷面から上記所望の番組の上記印刷番組情報を読み取る情報読取部と、
上記情報読取部により上記印刷面から読み取られた上記印刷番組情報を、番組データを記録再生する記録再生装置に対し上記所望の番組の番組データを記録するか再生するかを判別させるために当該記録再生装置に送信する送信部と
を具える情報読取装置。
【請求項９】
上記記録再生装置から、現在日時よりも後に放送予定の上記印刷番組情報が示す上記所望の番組の上記番組データを記録すると判別され当該番組データの記録を放送時間指定で予約する記録予約情報が生成されて、当該記録予約の完了を通知するための予約完了通知信号が送信されると、当該送信された上記予約完了通知信号を受信し、上記記録再生装置から、現在放送中の上記印刷番組情報が示す上記所望の番組の上記番組データを記録すると判別され当該所望の番組の放送途中から上記番組データの記録が開始されて、当該記録開始を通知するための記録開始通知信号が送信されると、当該送信された上記記録開始通知信号を受信する受信部と、
上記受信部により上記予約完了情報が受信されると、上記印刷物の上記印刷面において上記所望の番組の上記印刷番組情報上にマークを印刷する印刷部と
を具え、
上記印刷部は、
上記受信部により上記記録開始通知信号が受信されると、上記印刷物の上記印刷面において上記所望の番組の上記印刷番組情報上に上記マークを印刷する
請求項８に記載の情報読取装置。
【請求項１０】
上記受信部により上記予約完了通知信号が受信されると、予約完了を通知する通知部
を具え、
上記通知部は、
上記受信部により上記記録開始通知信号が受信されると、記録開始を通知する
請求項９に記載の情報読取装置。
【請求項１１】
上記撮像部は、
上記印刷物の上記印刷面に上記所望の番組の上記印刷番組情報として印刷された、可視光線で視認可能な文字列と、個々の当該文字を個別に囲む、上記可視光線では透明で、かつ近赤外線では不透明な複数の２次元コードとを撮像して上記撮像画像を生成し、
上記情報読取部は、
上記撮像画像から上記２次元コードを切り出して復号することにより上記所望の番組の上記印刷番組情報を生成するようにして、上記印刷面から上記印刷番組情報を読み取る
請求項１０に記載の情報読取装置。
【請求項１２】
印刷物の印刷面に印刷された番組表内の所望の番組の印刷番組情報を読み取る情報読取装置から、当該印刷面の上記印刷番組情報が読み取られて送信されると、当該送信された上記印刷番組情報を受信する受信ステップと、
現在日時と、上記受信した上記印刷番組情報とに基づいて、当該印刷番組情報が示す上記所望の番組の番組データを記録するか再生するかを判別する判別ステップと、
上記所望の番組の上記番組データを記録すると判別すると、上記印刷番組情報に基づいて上記所望の番組の上記番組データを記録し、上記所望の番組の上記番組データを再生すると判別すると、上記印刷番組情報に基づいて、すでに記録した上記所望の番組の上記番組データを再生する記録再生ステップと
を具える記録再生方法。
【請求項１３】
印刷物の印刷面に印刷された番組表内の所望の番組の印刷番組情報を撮像して撮像画像を生成する撮像ステップと、
上記撮像画像に基づいて上記印刷面から上記所望の番組の上記印刷番組情報を読み取る情報読取ステップと、
上記印刷面から読み取った上記印刷番組情報を、番組データを記録再生する記録再生装置に対し上記所望の番組の番組データを記録するか再生するかを判別させるために当該記録再生装置に送信する送信ステップと
を具える情報読取方法。
【請求項１４】
コンピュータに、
印刷物の印刷面に印刷された番組表内の所望の番組の印刷番組情報を読み取る情報読取装置から、当該印刷面の上記印刷番組情報が読み取られて送信されると、当該送信された上記印刷番組情報を受信する受信ステップと、
現在日時と、上記受信した上記印刷番組情報とに基づいて、当該印刷番組情報が示す上記所望の番組の番組データを記録するか再生するかを判別する判別ステップと、
上記所望の番組の上記番組データを記録すると判別すると、上記印刷番組情報に基づいて上記所望の番組の上記番組データを記録し、上記所望の番組の上記番組データを再生すると判別すると、上記印刷番組情報に基づいて、すでに記録した上記所望の番組の上記番組データを再生する記録再生ステップと
を実行させるための記録再生プログラム。
【請求項１５】
コンピュータに、
印刷物の印刷面に印刷された番組表内の所望の番組の印刷番組情報を撮像して撮像画像を生成する撮像ステップと、
上記撮像画像に基づいて上記印刷面から上記所望の番組の上記印刷番組情報を読み取る情報読取ステップと、
上記印刷面から読み取った上記印刷番組情報を、番組データを記録再生する記録再生装置に対し上記所望の番組の番組データを記録するか再生するかを判別させるために当該記録再生装置に送信する送信ステップと
を実行させるための情報読取プログラム。
【請求項１６】
印刷物の印刷面に印刷された番組表内の所望の番組の印刷番組情報を撮像して撮像画像を生成する撮像部と、
上記撮像部により生成された上記撮像画像に基づいて上記印刷面から上記所望の番組の上記印刷番組情報を読み取る情報読取部と、
上記情報読取部により上記撮像画像から読み取られた上記印刷番組情報を記録再生装置に送信する送信部と
を有する情報読取装置と、
上記情報読取装置から送信された上記印刷番組情報を受信する受信部と、
現在日時と、上記受信部により受信された上記印刷番組情報とに基づいて、当該印刷番組情報が示す上記所望の番組の番組データを記録するか再生するかを判別する判別部と、
上記判別部により上記所望の番組の上記番組データを記録すると判別されると、上記印刷番組情報に基づいて上記所望の番組の上記番組データを記録する記録部と、
上記判別部により上記所望の番組の上記番組データを再生すると判別されると、上記印刷番組情報に基づいて、上記記録部によりすでに記録された上記所望の番組の上記番組データを再生する再生部と
を有する上記記録再生装置と
を具える記録再生システム。
【発明の詳細な説明】
【技術分野】
【０００１】
本発明は記録再生装置、情報読取装置、記録再生方法、情報読取方法、記録再生プログラム、情報読取プログラム及び記録再生システムに関し、例えば、テレビジョン放送の番組の番組データを記録再生する記録再生システムに適用して好適なものである。
【背景技術】
【０００２】
従来のパーソナルコンピュータは、新聞に印刷されている番組の予約コード及び番組内容をイメージスキャナで読み取ってメモリに記録することにより、その番組の番組データの記録を放送時間指定で予約していた。
【０００３】
因みに、以下の説明では、番組の番組データの記録に対する放送時間指定による予約を、録画予約とも呼ぶ。また番組データの記録を、番組の録画とも呼ぶ。
【０００４】
そしてパーソナルコンピュータは、予約コードに従ってＶＴＲを制御することにより、当該ＶＴＲにより、その録画予約していた番組を録画していた（例えば、特許文献１参照）。
【特許文献１】特開平８−１４９４０６号公報（第１頁、第２頁、図１）
【発明の開示】
【発明が解決しようとする課題】
【０００５】
ところで従来のパーソナルコンピュータは、予約コードに従って番組を録画した後、キーボードの操作に応じて、当該録画した番組の番組内容を表示装置に表示する。
【０００６】
この状態でパーソナルコンピュータは、表示装置に表示した番組内容により再生対象の番組データが番組として選択されると、ＶＴＲを制御して当該選択された番組の番組データを再生していた。
【０００７】
ところが、パーソナルコンピュータは、番組の録画予約時にはイメージスキャナを操作させ、録画した番組の番組データに対する再生時にはキーボードを操作させるように、使用状況に応じて操作の仕方を変えており、操作性がわるいという問題があった。
【０００８】
本発明は以上の点を考慮してなされたもので、操作性を向上し得る記録再生装置、情報読取装置、記録再生方法、情報読取方法、記録再生プログラム、情報読取プログラム及び記録再生システムを提案しようとするものである。
【課題を解決するための手段】
【０００９】
かかる課題を解決するため本発明においては、記録再生システムにおいて、情報読取装置が、印刷物の印刷面に印刷された番組表内の所望の番組の印刷番組情報を撮像して撮像画像を生成し、当該生成した撮像画像に基づいて印刷面から所望の番組の印刷番組情報を読み取り、その印刷番組情報を記録再生装置に送信し、記録再生装置が、情報読取装置から送信された印刷番組情報を受信すると、当該受信した印刷番組情報と、現在日時とに基づいて、印刷番組情報が示す所望の番組の番組データを記録するか再生するかを判別し、所望の番組の番組データを記録すると判別すると、印刷番組情報に基づいて所望の番組の番組データを記録し、所望の番組の番組データを再生すると判別すると、印刷番組情報に基づいて、すでに記録した所望の番組の番組データを再生するようにした。
【００１０】
従って本発明では、所望の番組の番組データに対する記録と再生との何れを要求する場合でも、印刷物の印刷面に印刷されている番組表内で当該所望の番組の印刷番組情報を撮像するための操作を行わせるだけでよく、操作を簡易化することができる。
【発明の効果】
【００１１】
本発明によれば、記録再生システムにおいて、情報読取装置が、印刷物の印刷面に印刷された番組表内の所望の番組の印刷番組情報を撮像して撮像画像を生成し、当該生成した撮像画像に基づいて印刷面から所望の番組の印刷番組情報を読み取り、その印刷番組情報を記録再生装置に送信し、記録再生装置が、情報読取装置から送信された印刷番組情報を受信すると、当該受信した印刷番組情報と、現在日時とに基づいて、印刷番組情報が示す所望の番組の番組データを記録するか再生するかを判別し、所望の番組の番組データを記録すると判別すると、印刷番組情報に基づいて所望の番組の番組データを記録し、所望の番組の番組データを再生すると判別すると、印刷番組情報に基づいて、すでに記録していた所望の番組の番組データを再生するようにしたことにより、所望の番組の番組データに対する記録と再生との何れを要求する場合でも、印刷物の印刷面に印刷されている番組表内で当該所望の番組の印刷番組情報を撮像するための操作を行わせるだけでよく、操作を簡易化することができ、かくして操作性を向上し得る記録再生装置、情報読取装置、記録再生方法、情報読取方法、記録再生プログラム、情報読取プログラム及び記録再生システムを実現することができる。
【発明を実施するための最良の形態】
【００１２】
以下図面について、本発明の一実施の形態を詳述する。なお、説明は以下の順序で行う。
１．実施の形態
２．他の実施の形態
【００１３】
（１）実施の形態
（１−１）記録再生システムの構成
図１において、１は全体として本発明を適用したテレビジョン放送用の記録再生システムを示す。かかる記録再生システム１は、テレビジョン放送の番組表が印刷された、例えば、新聞や雑誌のような印刷物２から、当該番組表内の所望の番組に関する番組情報（以下、これを特に印刷番組情報とも呼ぶ）を読み取る情報読取装置３を有している。
【００１４】
そして記録再生システム１は、情報読取装置３と記録再生装置４とが赤外線等で無線通信し得るようになされており、当該情報読取装置３により、印刷物２から読み取った印刷番組情報を記録再生装置４に送信する。
【００１５】
これにより記録再生システム１は、記録再生装置４により印刷番組情報に基づいて、所望の番組の番組データを記録し、またすでに記録している番組データを再生し表示装置５を介し所望の番組を視聴させるようになされている。
【００１６】
（１−２）印刷物２の構成
次いで、図２を用いて印刷物２の構成について説明する。図２に示すように、印刷物２は、印刷面に番組表１０が印刷されて生成されている。
【００１７】
番組表１０には、当該番組表１０が示す種々の番組の放送日を示す文字（すなわち、漢字や数字等）が可視光線で視認可能な例えば黒色のインクにより印刷されている。因みに、以下の説明では、可視光線で視認可能な例えば黒色のインクを、可視インクとも呼ぶ。
【００１８】
また番組表１０には、テレビジョン放送の放送局毎の番組提示欄１０Ａ乃至１０Ｃが設けられている。そして番組提示欄１０Ａ乃至１０Ｃ内には、対応する放送局を判別可能な局判別情報１１が、可視インクによって印刷されている。
【００１９】
局判別情報１１は、放送局の名称や、放送局に番組の放送用に割り当てられたチャンネルの名称を示す文字（すなわち、平仮名、片仮名、漢字、数字等）列により形成されている。
【００２０】
因みに、以下の説明では、放送局の名称を、放送局名とも呼び、放送局に番組の放送用に割り当てられたチャンネルの名称を、チャンネル名とも呼ぶ。
【００２１】
また番組提示欄１０Ａ乃至１０Ｃには、対応する放送局により放送される番組毎の印刷番組情報１２が、放送時間の時間軸に沿って順番に並べられて印刷されている。
【００２２】
この場合、番組毎の印刷番組情報１２は、可視インクを用いて印刷された印刷番組情報１２Ａと、可視光線では透明で、かつ近赤外線では不透明な例えば黒色のインクを用いて印刷された印刷番組情報とから構成されている。
【００２３】
因みに、以下の説明では、可視光線では透明で、かつ近赤外線では不透明な例えば、黒色のインクを、不可視インクとも呼ぶ。
【００２４】
また、以下の説明では、番組毎の印刷番組情報１２として、可視インクを用いて印刷された印刷番組情報１２Ａを、特に可視番組情報１２Ａとも呼び、不可視インクを用いて印刷された印刷番組情報を、特に不可視番組情報とも呼ぶ。
【００２５】
可視番組情報１２Ａは、番組の放送開始時刻（すなわち、時分）や番組タイトル、番組内容等を示す文字（すなわち、平仮名、片仮名、漢字、数字等）列によって形成されている。
【００２６】
一方、不可視番組情報には、番組の放送開始日時、番組長さ、当該番組を放送予定のチャンネル（すなわち、番組を放送予定の放送局に割り当てられたチャンネル）のチャンネル名が含まれている。
【００２７】
因みに、番組の放送開始日時は、例えば、年月日時分単位で表現されている。また番組長さは、番組に対する放送開始日時から放送終了日時までの時間的な長さであり、例えば、分単位で表現されている。
【００２８】
また不可視番組情報は、誤り訂正符号が付加された状態で符号化することにより、水平方向及び垂直方向の２方向に展開された四角形の枠状の２次元コード（以下、これを不可視２次元コードとも呼ぶ）１２Ｂとして形成されている。
【００２９】
そして不可視２次元コード１２Ｂは、印刷物２の印刷面に対し番組毎に、可視番組情報１２Ａの個々の文字（すなわち、１文字）や、１文字分の空白部分をそれぞれ個別に囲むように、複数印刷されている。
【００３０】
図３に示すように、実際に不可視２次元コード１２Ｂは、最小構成単位である正方形のセルを複数有しており、これら複数のセルが当該不可視２次元コード１２Ｂを形成する水平方向の２本の辺及び垂直方向の２本の辺にそれぞれ一列ずつ配置されている。
【００３１】
そして不可視２次元コード１２Ｂは、個々の辺の各セルが、それぞれ不可視インクの印刷部分と非印刷部分との何れか一方となり、当該印刷部分と非印刷部分とのパターンで不可視番組情報を表現している。
【００３２】
また不可視２次元コード１２Ｂは、４隅のセル１２ＢＷ乃至１２ＢＺのうち、特定の１つのみが非印刷部分とされ、残りの３つが印刷部分とされている。
【００３３】
これにより４隅のセル１２ＢＷ乃至１２ＢＺは、後述するように不可視２次元コード１２Ｂのみが写りこんだ撮像画像から当該不可視２次元コード１２Ｂを他の不可視２次元コード１２Ｂとは区別して切り出すための切り出しシンボルとして機能している。
【００３４】
これにより不可視２次元コード１２Ｂは、情報読取装置３による情報読取時、撮像画像から４隅のセル１２ＢＷ乃至１２ＢＺにより他の不可視２次元コード１２Ｂとは的確に区別させて切り出させることができる、
【００３５】
また不可視２次元コード１２Ｂにおいて、４隅のセル１２ＢＷ乃至１２ＢＺのうち非印刷部分となる特定の１つのセル１２ＢＷは、当該不可視２次元コード１２Ｂの復号開始位置を示している。
【００３６】
これにより不可視２次元コード１２Ｂは、撮像画像から切り出された場合、４隅のセル１２ＢＷ乃至１２ＢＺのうち非印刷部分でなる特定の１つのセル１２ＢＷにより、当該不可視２次元コード１２Ｂの復号開始位置を的確に検出させることができる。
【００３７】
（１−３）情報読取装置３の構成
（１−３−１）情報読取装置３の機械構成
次いで、図４（Ａ）及び（Ｂ）並びに図５を用いて情報読取装置３の機械構成について説明する。図４（Ａ）及び（Ｂ）に示すように、情報読取装置３は、例えば、印鑑をイメージさせるような円筒形状の本体部２０を有し、当該本体部２０の一端２０Ａが閉塞されると共に、他端の円形の縁部２０Ｂが平坦に形成されている。
【００３８】
また本体部２０は、他端の円形の穴部２０Ｃの内径が、例えば、印刷物２の印刷面に印刷された不可視２次元コード１２Ｂの対角線を２本直線状に繋げた長さよりも長く選定されている。
【００３９】
これにより情報読取装置３は、本体部２０の他端が印刷物２の印刷面において可視番組情報１２Ａの印刷領域内の何処に押し付けられたときでも、他端の穴部２０Ｃ内に少なくとも１つの不可視２次元コード１２Ｂを確実に収めることができる。
【００４０】
また情報読取装置３は、このとき他端の縁部２０Ｂ全体を印刷物２の印刷面に密着させて穴部２０Ｃを外部から密閉し、当該穴部２０Ｃ内に外部から光が入り込まないようにすることができる。
【００４１】
さらに図５に示すように、情報読取装置３において本体部２０の他端側の穴部２０Ｃ内には、圧力センサ２１がセンサ本体の先端に設けられた圧力検出面２１Ａを、当該他端の縁部２０Ｂから僅かに突出させて配置されている。
【００４２】
圧力センサ２１は、本体部２０の他端が印刷物２の印刷面に押し付けられたとき、圧力検出面２１Ａが当該印刷面に押されてセンサ本体側に凹むことにより、当該本体部２０の他端が印刷物２の印刷面に接触したことを検出し得るようになされている。
【００４３】
因みに、圧力センサ２１は、本体部２０の他端が印刷物２の印刷面に押し付けられたときに圧力検出面２１Ａがセンサ本体側に凹むことで、本体部２０の他端の縁部２０Ｂ全体を印刷物２の印刷面に密着させることができる。
【００４４】
また本体部２０の他端側の穴部２０Ｃ内には、可視光線Ｌ１を発射する光源２２と、近赤外線Ｌ２を発射する光源２３とが、可視光線Ｌ１及び近赤外線Ｌ２の発射口を穴部２０Ｃの外側に向けて配置されている。
【００４５】
因みに、以下の説明では、可視光線Ｌ１を発射する光源２２を、可視光源２２とも呼び、近赤外線Ｌ２を発射する光源２３を、近赤外光源２３とも呼ぶ。
【００４６】
さらに本体部２０の他端側の穴部２０Ｃ内には、可視光線Ｌ１及び近赤外線Ｌ２それぞれに感度をもつ撮像素子が設けられたカメラ部２４が、当該撮像素子において撮像光Ｌ３及びＬ４を受光する受光面を、穴部２０Ｃの外側に向けて配置されている。
【００４７】
因みに、カメラ部２４は、本体部２０の他端が印刷物２の印刷面に押し付けられた状態で、当該印刷面から到来する撮像光Ｌ３及びＬ４が撮像素子の受光面で結像するように、その配置位置及びフォーカスが予め調整されている。
【００４８】
そしてカメラ部２４は、本体部２０の他端が印刷物２の印刷面に押し付けられた状態で、可視光源２２から発射された可視光線Ｌ１が当該印刷面に照射されたとき、印刷面で可視光線Ｌ１が反射して得られる反射光を撮像光Ｌ３として撮像素子の受光面で受光する。
【００４９】
これによりカメラ部２４は、印刷物２の印刷面において可視インクによる可視番組情報１２Ａの印刷領域内に可視光線Ｌ１が照射されたとき、当該印刷面と共に可視番組情報１２Ａを撮像し得るようになされている。
【００５０】
またカメラ部２４は、本体部２０の他端が印刷物２の印刷面に押し付けられた状態で、近赤外光源２３から発射された近赤外線Ｌ２が印刷面に照射されたとき、印刷面で近赤外線Ｌ２が反射して得られる反射光を撮像光Ｌ４として撮像素子の受光面で受光する。
【００５１】
これによりカメラ部２４は、印刷物２の印刷面において可視番組情報１２Ａの印刷領域内に近赤外線Ｌ２が照射されたとき、当該印刷面と共に、その印刷面に不可視インクで印刷されている不可視２次元コード１２Ｂを撮像し得るようになされている。
【００５２】
さらに本体部２０の他端側の穴部２０Ｃ内には、所定のマークが刻印された判子と当該判子の印面に可視光線で視認可能なインクを供給するインク供給機構とを有する印刷部２５が、判子の印面を穴部２０Ｃの外側に向けて配置されている。
【００５３】
実際に印刷部２５は、本体部２０の他端側の穴部２０Ｃ内に、当該穴部２５の外側へ判子の印面を僅かに突出させる方向、及びこれとは逆の穴部２０Ｃ内に判子の印面を引き込む方向へ移動可能に配置されている。
【００５４】
因みに、以下の説明では、穴部２０Ｃの外側へ判子の印面を僅かに突出させる方向を、突出方向とも呼び、当該穴部２０Ｃ内に判子の印面を引き込む方向を、引込方向とも呼ぶ。
【００５５】
また本体部２０の他端側の穴部２０Ｃ内には、印刷部２５を突出方向及び引込方向へ移動させるための、駆動部２６も設けられている。
【００５６】
そして駆動部２６は、例えば、本体部２０の他端が印刷物２の印刷面に押し付けられた状態で、印刷部２５を駆動して突出方向へ移動させた後、引込方向へ移動させることにより、印刷面に印刷部２５によりマークを印刷させることができる。
【００５７】
（１−３−２）情報読取装置３の回路構成
次いで、図６を用いて情報読取装置３の回路構成について説明する。情報読取装置３は、例えば、マイクロコンピュータ構成の制御部３０を有している。
【００５８】
制御部３０は、内部のメモリに予め記録された基本プログラムやアプリケーションプログラム等の各種プログラムに従って、情報読取装置３全体を制御する。
【００５９】
これにより圧力センサ２１は、本体部２０の他端が印刷物２の印刷面において所望の番組の印刷番組情報１２の印刷領域内に押し付けられて、圧力検出面２１Ａが凹むと、本体部２０の他端が印刷物２の印刷面に接触したことを検出する。そして圧力センサ２１は、その検出結果を示す接触検出信号を制御部３０に送出する。
【００６０】
このようにして圧力センサ２１は、本体部２０の他端が印刷物２の印刷面に接触している間、当該本体部２０の他端が印刷面に接触していることを検出し続けて接触検出信号を制御部３０に送出する。
【００６１】
制御部３０は、圧力センサ２１から接触検出信号が与えられると、印刷物２の印刷面から不可視番組情報を読み取る情報読取処理を実行する。
【００６２】
ここで図７に示す特性曲線ＩＮ１で表されるように、不可視インクは、例えば、可視光線では反射率が高いため印刷面の色と同じ白色に発色し（透明になり）、近赤外線では反射率が低いため黒色に発色する（不透明になる）ような特性を有している。
【００６３】
また特性曲線ＩＮ２で表されるように、一般的な可視インクは、例えば、可視光線では反射率が低いため黒色に発色し（不透明になり）、近赤外線でも反射率が低いため黒色に発色する（不透明になる）ような特性を有している。
【００６４】
さらに特性曲線ＩＮ３で表されるように、不可視インクとしては、例えば、可視光線では反射率が低いため黒色に発色し（不透明になり）、近赤外線では反射率が高いため印刷面の色と同じ白色に発色する（透明になる）ような特性を有する特殊なものもある。
【００６５】
そして上述した印刷物２は、印刷面に対し、例えば、可視光線及び近赤外線の何れに対しても反射率が低いため黒色に発色するような特性を有する一般的な可視インクによって可視番組情報１２Ａが印刷されている。
【００６６】
このため制御部３０は、圧力センサ２１から接触検出信号が与えられて情報読取処理を実行した場合、例えば、まず近赤外光源２３を制御すると共に、カメラインタフェース３１を介してカメラ部２４を制御する。これにより近赤外光源２３は、近赤外線Ｌ２を発射して印刷物２の印刷面に照射する。
【００６７】
またカメラ部２４は、このとき印刷物２の印刷面に近赤外線Ｌ２が照射されている状態で、当該印刷物２の印刷面から、近赤外線Ｌ２が反射することにより到来する撮像光Ｌ４（すなわち、反射光）を撮像素子の受光面で受光する。
【００６８】
さらにカメラ部２４は、撮像素子において受光面で受光した撮像光Ｌ４を光電変換することにより当該撮像光Ｌ４に応じたアナログの光電変換信号を生成する。
【００６９】
さらにまたカメラ部２４は、その光電変換信号に画像生成用の信号処理を施して撮像画像信号を生成すると共に、当該生成した撮像画像信号をアナログデジタル変換処理してデジタルの撮像画像データを生成する。
【００７０】
因みに、以下の説明では、印刷物２の印刷面を、近赤外線Ｌ２を照射した状態で撮像して生成した撮像画像データを、近赤外画像データとも呼ぶ。
【００７１】
そしてカメラ部２４は、その近赤外画像データを、カメラインタフェース３１を介してＲＡＭ（Random  Access  Memory）３２に送出して一時記録する。
【００７２】
次いで、制御部３０は、可視光源２２を制御すると共に、カメラインタフェース３１を介してカメラ部２４を制御する。これにより可視光源２２は、可視光線Ｌ１を発射して印刷物２の印刷面に照射する。
【００７３】
またカメラ部２４は、このとき印刷物２の印刷面に可視光線Ｌ１が照射されている状態で、当該印刷物２の印刷面から、可視光線Ｌ１が反射することにより到来する撮像光Ｌ３（すなわち、反射光）を撮像素子の受光面で受光する。
【００７４】
さらにカメラ部２４は、撮像素子において受光面で受光した撮像光Ｌ３を光電変換することにより当該撮像光Ｌ３に応じたアナログの光電変換信号を生成する。
【００７５】
さらにまたカメラ部２４は、その光電変換信号に画像生成用の信号処理を施して撮像画像信号を生成すると共に、当該生成した撮像画像信号をアナログデジタル変換処理してデジタルの撮像画像データを生成する。
【００７６】
因みに、以下の説明では、印刷物２の印刷面を、可視光線Ｌ１を照射した状態で撮像して生成した撮像画像データを、可視画像データとも呼ぶ。
【００７７】
そしてカメラ部２４は、その可視画像データを、カメラインタフェース３１を介してＲＡＭ３２に送出して一時記録する。
【００７８】
このようにして制御部３０は、本体部２０の他端が印刷物２の印刷面に接触している間、当該印刷物２の印刷面において本体部２０の他端の縁部２０Ｂで囲まれた部分を、外部からの光を遮光した状態で、近赤外線Ｌ２及び可視光線Ｌ１を順次照射して撮像する。
【００７９】
また番組情報読取部３３は、このときＲＡＭ３２から近赤外画像データ及び可視画像データを読み出す。そして番組情報読取部３３は、近赤外画像データから可視画像データを減算する。これにより番組情報読取部３３は、不可視２次元コード１２Ｂのみが写り込んだ撮像画像の撮像画像データを生成する。
【００８０】
因みに、以下の説明では、不可視２次元コード１２Ｂのみが写りこんだ撮像画像を、コード画像とも呼び、当該コード画像の撮像画像データを、コード画像データとも呼ぶ。
【００８１】
なお、番組情報読取部３３は、このとき、近赤外画像データ及び可視画像データに対し、又は当該近赤外画像データから可視画像データを減算した後、ノイズ除去処理等の各種画像処理を施すようにして、鮮明なコード画像のコード画像データを生成する。
【００８２】
また番組情報読取部３３は、コード画像データに基づくコード画像内で、不可視２次元コード１２Ｂの切り出しシンボルとして機能する４つのセル１２ＢＷ乃至１２ＢＺを検出する。
【００８３】
そして番組情報読取部３３は、その検出結果に基づいてコード画像から１つの不可視２次元コード１２Ｂを切り出す。
【００８４】
そして番組情報読取部３３は、コード画像から切り出した不可視２次元コード１２Ｂを、４隅のセル１２ＢＷ乃至１２ＢＺのうち非印刷部分でなる特定の１つのセル１２ＢＷの位置から復号することにより不可視番組情報を生成する。
【００８５】
このようにして番組情報読取部３３は、印刷物２の印刷面から所望の番組の不可視番組情報を読み取り、当該読み取った不可視番組情報をＲＡＭ３２に送出して一時記録する。
【００８６】
この際、制御部３０は、ＲＡＭ３２から不可視番組情報を読み出す。そして制御部３０は、その不可視番組情報を、通信インタフェース３４を介して無線通信部３５により記録再生装置４に送信する。
【００８７】
これにより制御部３０は、後述するように記録再生装置４に対し、不可視番組情報に基づき、当該不可視番組情報が示す番組の番組データを記録するか再生するかを判別させることができる。
【００８８】
実際に記録再生装置４は、現在日時が、不可視番組情報が示す番組の放送開始日時よりも前の場合、当該番組の番組データを記録するように判別する。
【００８９】
そして記録再生装置４は、この際、不可視番組情報に基づいて、当該不可視番組情報が示す番組の番組データの記録を放送時間指定で予約する。
【００９０】
因みに、以下の説明では、番組の番組データの記録に対する放送時間指定による予約を、録画予約とも呼び、当該番組の番組データの記録を、適宜、番組の録画とも呼ぶ。
【００９１】
また記録再生装置４は、不可視番組情報が示す番組が現在放送中であるものの、番組を録画してはいないと、この場合も、当該番組の番組データを記録するように判別する。
【００９２】
そして記録再生装置４は、その不可視番組情報が示す番組の放送途中から番組データを記録し始める（すなわち、番組を放送途中から録画し始める）。
【００９３】
これに対して記録再生装置４は、不可視番組情報が示す番組が現在放送中であり、かつ録画中でもあると、当該番組の番組データをそのまま記録し続けるように判別した後、その番組データを再生するようにも判別する。
【００９４】
そして記録再生装置４は、その不可視番組情報が示す番組の番組データの記録を継続しながら（すなわち、番組の録画を継続しながら）、当該番組データを、その先頭位置から再生する。
【００９５】
また記録再生装置４は、不可視番組情報が示す番組をすでに録画し終えていると、この場合も、当該番組の番組データを再生すると判別する。そして記録再生装置４は、その不可視番組情報が示す番組の番組データを、その先頭位置から再生する。
【００９６】
ところで、記録再生装置４は、不可視番組情報を受信したときに、当該不可視番組情報が示す番組を録画予約すると、当該録画予約の完了を通知する予約完了通知信号を情報読取装置３に送信する。
【００９７】
また記録再生装置４は、不可視番組情報を受信したときに、当該不可視番組情報が示す番組を録画予約し得ないと、今後改めて録画予約するために、その録画予約を保留したことを通知する予約保留通知信号を情報読取装置３に送信する。
【００９８】
さらに記録再生装置４は、不可視番組情報が示す番組の放送途中から番組データを記録すると（すなわち、番組を放送途中から録画し始めると）、記録の開始を通知する記録開始通知信号を情報読取装置３に送信する。
【００９９】
情報読取装置３において制御部３０は、記録再生装置４から予約完了通知信号が送信されると、その予約完了通知信号を無線通信部３５によって受信し通信インタフェース３４を介して取り込む。
【０１００】
そして制御部３０は、その予約完了通知信号に基づいて通知部３６を制御することにより、当該通知部３６により、録画予約の完了の通知用に予め設定された音色の通知音を発生させる。
【０１０１】
また制御部３０は、このとき駆動部２６を制御して印刷部２５を駆動させる。これにより制御部３０は、印刷部２５により印刷物２の印刷面において、録画予約の完了した番組を示す可視番組情報１２Ａ（及び不可視２次元コード１２Ｂ）上にマークを印刷する。
【０１０２】
これにより制御部３０は、通知部３６に発生させた通知音や、印刷部２の印刷面に印刷したマークによって、ユーザに番組の録画予約が完了したことを通知することができる。
【０１０３】
また制御部３０は、印刷物２の印刷面へのマークの印刷後には、当該マークを重ねた可視番組情報１２Ａにより、その印刷物２の印刷面上で、録画予約の完了している番組を容易に確認させることができる。
【０１０４】
さらに制御部３０は、録画予約の完了した番組が実際に録画された後には、印刷物２の印刷面上でマークと、番組表１０が示す放送日とにより、当該番組がすでに録画されていることを容易に認識させることができる。
【０１０５】
また制御部３０は、記録再生装置４から予約保留通知信号が送信されると、その予約保留通知信号を無線通信部３５によって受信し通信インタフェース３４を介して取り込む。
【０１０６】
そして制御部３０は、その予約保留通知信号に基づいて通知部３６を制御する。これにより制御部３０は、通知部３６により、録画予約の保留の通知用に予め設定された音色の通知音（すなわち、録画予約の完了を通知するための通知音の音色とは異なる音色の通知音）を発生させる。
【０１０７】
これにより制御部３０は、通知部３６に発生させた通知音によって、ユーザに番組の録画予約が保留されたことを通知することができる。
【０１０８】
さらに制御部３０は、記録再生装置４から記録開始通知信号が送信されると、その記録開始通知信号を無線通信部３５によって受信し通信インタフェース３４を介して取り込む。
【０１０９】
そして制御部３０は、その記録開始通知信号に基づいて通知部３６を制御する。これにより制御部３０は、通知部３６により、記録開始の通知用に予め設定された音色の通知音（すなわち、録画予約の完了や保留を通知するための通知音の音色とはそれぞれ異なる音色の通知音）を発生させる。
【０１１０】
また制御部３０は、このとき駆動部２６を制御して印刷部２５を駆動させる。これにより制御部３０は、印刷部２５により印刷物２の印刷面において、番組データの記録が開始された番組の可視番組情報１２Ａ（及び不可視２次元コード１２Ｂ）上にマークを印刷する。
【０１１１】
これにより制御部３０は、通知部３６に発生させた通知音や、印刷部２の印刷面に印刷したマークによって、ユーザに対し所望の番組の番組データの記録が開始されたことを通知することができる。
【０１１２】
また制御部３０は、番組データの記録が終了した後には、印刷物２の印刷面上でマークを重ねた可視番組情報１２Ａと、番組表１０が示す放送日とにより、ユーザに、当該可視番組情報１２Ａが示す番組がすでに録画されていることを容易に認識させることができる。
【０１１３】
ところで制御部３０は、予約完了通知信号や記録開始通知信号の受信に応じて、駆動部２６を介して印刷部２５を駆動させた場合、本体部２０の他端側の穴部２０Ｃから印刷部２５を例えば、５乃至１０秒程度突出させたままにする。
【０１１４】
これにより制御部３０は、印刷物２の印刷面から不可視番組情報を読み出してから、予約完了通知信号や記録開始通知信号を受信するまでの間に、当該印刷面から本体部２０が離されていても、通知音を聴いたユーザにより本体部２０の他端が印刷物２の印刷面に再び押し付けられると、当該印刷物２の印刷面にマークを印刷することができる。
【０１１５】
よって制御部３０は、番組データの記録後には、印刷物２の印刷面上で、これに印刷されたマークと、当該マークを重ねた可視番組情報１２Ａとにより、当該番組データを記録した番組を確認させることができる。
【０１１６】
（１−４）記録再生装置４の回路構成
次いで、図８を用いて記録再生装置４の回路構成について説明する。かかる記録再生装置４は、デジタル系のテレビジョン放送の番組に対する録画再生機能や、例えば、チャンネル毎に配信されている電子番組案内（EPG:Electronic  Program  Guide）情報の取得機能を有している。
【０１１７】
そして記録再生装置４は、上述したように赤外線通信規格に準じて情報読取装置３と無線接続して通信し得るようになされている。
【０１１８】
また記録再生装置４は、例えば、ＨＤＭＩ（High  Definition  Multimedia  Interface）規格に準じたＨＤＭＩケーブル（図示せず）を介して表示装置５と有線接続されている。
【０１１９】
記録再生装置４には、例えば、マイクロコンピュータ構成の制御部４０が設けられている。制御部４０は、内部のメモリ、又はハードディスクドライブ（HDD:Hard  Disc  Drive）４１に予め記録された基本プログラムやアプリケーションプログラム等の各種プログラムに従って、記録再生装置４全体を制御すると共に、所定の演算処理を実行する。
【０１２０】
また制御部４０は、リモートコントローラのような操作部４２から、ユーザ操作に応じて入力される操作コマンドに応じた各種処理も実行する。
【０１２１】
これにより例えば、記録再生装置４に設けられた３つのチューナ４３Ａ乃至４３Ｃは、それぞれ図示しないデジタル系アンテナ又はケーブルを介して与えられる、デジタルのテレビジョン放送データを取り込む。
【０１２２】
この状態で制御部４０は、例えば、操作部４２を介して視聴用のチャンネルが任意に選択されると、このときデータ出力部４４及びＨＤＭＩケーブルを介して表示装置５の動作状態を確認する。
【０１２３】
その結果、制御部４０は、表示装置５が電源オフ状態であると、ＨＤＭＩ−ＣＥＣ（High  Definition  Multimedia  Interface-Consumer  Electronics  Control）規格に準じた制御データをデータ出力部４４からＨＤＭＩケーブルを介して表示装置５に送信する。
【０１２４】
これにより制御部４０は、制御データに基づいて表示装置５を制御して、当該表示装置５を電源オン状態にすると共に、記録再生装置４から番組データとして送信する映像データ及び音声データを取り込むように制御する。
【０１２５】
また制御部４０は、操作部４２を介して任意に選択された視聴用のチャンネルに応じて、３つのチューナ４３Ａ乃至４３Ｃのうち、何れか１つのチューナ４３Ａ乃至４３Ｃを制御する。
【０１２６】
よって制御部４０により制御された１つのチューナ４３Ａ乃至４３Ｃは、テレビジョン放送データから複数のチャンネルのチャンネルデータのうち、視聴用の１つのチャンネルのチャンネルデータを抽出してデータ処理部４５に送出する。
【０１２７】
ここで、個々のチャンネルのチャンネルデータは、複数の番組の番組データが放送時間の時間軸に沿って、その放送の順番通りに繋げられると共に、これら番組データに、当該チャンネルで放送予定の番組の電子番組案内情報が付加されて生成されている。
【０１２８】
また、個々の番組の番組データは、番組映像の映像データと、番組音声の音声データとが符号化された状態で時分割多重化されて生成されている。
【０１２９】
データ処理部４５は、チューナ４３Ａ乃至４３Ｃからチャンネルデータが与えられると、そのチャンネルデータから番組データを抽出すると共に、当該抽出した番組データを映像データ及び音声データに分離する。
【０１３０】
またデータ処理部４５は、その映像データ及び音声データそれぞれに復号等の再生処理を施した後、これら映像データ及び音声データをデータ出力部４４からＨＤＭＩケーブルを介して表示装置５に送信する。
【０１３１】
これにより制御部４０は、表示装置５において映像データに基づく番組映像をディスプレイに表示させると共に、その番組映像の表示に合せてスピーカから音声データに基づく番組音声を出力させる。
【０１３２】
このようにして制御部４０は、ユーザにより選択されたチャンネルで放送中の番組を、表示装置５を介して視聴させることができる。
【０１３３】
また制御部４０は、電子番組案内情報の定期的な更新時間に達する毎に、そのとき番組の視聴や後述する番組の録画に使用してはいないチューナ４３Ａ乃至４３Ｃ（以下、これを空きチューナ４３Ａ乃至４３Ｃとも呼ぶ）を検出する。そして制御部４０は、その空きチューナ４３Ａ乃至４３Ｃを、順次異なるチャンネルに応じて制御する。
【０１３４】
よって空きチューナ４３Ａ乃至４３Ｃは、定期的にテレビジョン放送データから、順次異なるチャンネルのチャンネルデータを抽出すると共に、当該抽出したチャンネルデータをＥＰＧ抽出部４６に送出する。
【０１３５】
ＥＰＧ抽出部４６は、空きチューナ４３Ａ乃至４３Ｃから個々のチャンネルのチャンネルデータが順次与えられる毎に、当該チャンネルデータから電子番組案内情報を抽出する。
【０１３６】
そしてＥＰＧ抽出部４６は、個々のチャンネルのチャンネルデータから抽出した電子番組案内情報をハードディスクドライブ４１に送出することにより、当該ハードディスクドライブ４１に電子番組案内情報をチャンネル毎に記録する。
【０１３７】
ここで電子番組案内情報には、例えば、対応するチャンネルにおいて現時点からむこう１週間に放送予定の番組毎の番組情報（以下、これを電子番組情報とも呼ぶ）が記述されている。
【０１３８】
このためＥＰＧ抽出部４６は、個々のチャンネルのチャンネルデータから電子番組案内情報を抽出してハードディスクドライブ４１に送出する毎に、当該ハードディスクドライブ４１においてチャンネル毎の電子番組案内情報を更新している。
【０１３９】
ところで、電子番組案内情報に記述される番組毎の電子番組情報には、放送局名、チャンネル名、番組の放送開始日時、放送終了日時、番組長さ、番組タイトル、ジャンル、番組概要、番組詳細、出演者名等が含まれている。
【０１４０】
また放送予定の番組の中には、放送時間の延長が許容されたスポーツの試合中継のような番組がある。
【０１４１】
そして放送時間の延長が許容された番組の電子番組情報には、当該放送時間の延長が許容されていることを示す延長許容情報と、放送時間の延長用に予め選定された延長時間とが含まれている。
【０１４２】
さらに放送時間の延長が許容された番組の後に放送予定の他の番組の電子番組情報にも、同様に延長許容情報と、延長時間とが含まれている。
【０１４３】
因みに、電子番組情報に含まれる放送開始日時及び放送終了日時は、例えば、年月日時分単位で表現されている。さらに番組長さは、放送開始日時から放送終了日時までの時間的長さであり、分単位で表現されている。
【０１４４】
制御部４０は、このように電子番組案内情報を適宜更新しながら記録している状態で、情報読取装置３から不可視番組情報が送信されると、その不可視番組情報を無線通信部４７によって受信し通信インタフェース４８を介して取り込む。そして制御部４０は、その不可視番組情報をＲＡＭ４９に送出して一時記録する。
【０１４５】
ここで計時部５０は、例えば、常時、年月日時分単位で表現する日時を計時している。そして制御部４０は、不可視番組情報を受信すると、計時部５０から現在日時を取り込み、当該現在日時を、不可視番組情報に含まれる放送開始日時と比較する。
【０１４６】
その結果、制御部４０は、現在日時が放送開始日時よりも前であると、その不可視番組情報が示す番組の番組データを記録するように判別する。
【０１４７】
このとき制御部４０は、ハードディスクドライブ４１からチャンネル毎の電子番組案内情報のうち、不可視番組情報に含まれるチャンネル名のチャンネルで配信された電子番組案内情報を読み出す。
【０１４８】
そして制御部４０は、電子番組案内情報に記述された複数の電子番組情報と不可視番組情報とを順次比較する（すなわち、互いの放送開始日時及び番組長さを比較する）ようにして、当該不可視番組情報が示す番組の電子番組情報を探索する。
【０１４９】
その結果、制御部４０は、不可視番組情報が示す番組の電子番組情報を検出すると、その電子番組情報を利用して、当該番組の番組データの記録を放送時間指定で予約するための記録予約情報（以下、これを録画予約情報とも呼ぶ）を生成する。
【０１５０】
この場合、制御部４０は、録画予約情報に、不可視番組情報が示す番組が放送されるチャンネルのチャンネル名や放送開始日時、放送終了日時、番組タイトル等を格納している。
【０１５１】
ただし、制御部４０は、不可視番組情報が示す番組の電子番組情報に延長許容情報及び延長時間が含まれていると、その電子番組情報に含まれる延長時間により、当該番組の放送終了日時を延長時間だけ遅らせるように修正する。よって制御部４０は、録画予約情報に、その修正した放送終了日時を格納する。
【０１５２】
そして制御部４０は、録画予約情報を生成すると、ＲＡＭ４９から不可視番組情報を読み出し、録画予約情報に当該不可視番組情報を付加してハードディスクドライブ４１に送出する。
【０１５３】
これにより制御部４０は、ハードディスクドライブ４１に、その録画予約情報を、これに付加した不可視番組情報と共に記録する。
【０１５４】
このようにして制御部４０は、録画予約情報の記録が済んで不可視番組情報が示す番組の録画予約が完了すると、予約完了通知信号を、通信インタフェース４８を介して無線通信部４７により情報読取装置３に送信する。
【０１５５】
ところで制御部４０は、録画予約が完了すると、タイマ５１を一旦リセットした後、当該タイマ５１に対し、現在日時から、その録画予約した番組の放送開始日時（放送の延長が許容されていると、延長時間で修正したもの）までの時間のカウントを開始させる。
【０１５６】
また制御部４０は、タイマ５１に対し、録画予約した番組の放送開始日時までの時間のカウントが終了した時点に、そのカウントの終了を通知するように設定する。
【０１５７】
そして制御部４０は、タイマ５１からカウントの終了が通知されると、ハードディスクドライブ４１から録画予約情報を不可視番組情報と共に読み出し、当該読み出した録画予約情報及び不可視番組情報をＲＡＭ４９に一時記録する。
【０１５８】
また制御部４０は、このとき１つの空きチューナ４３Ａ乃至４３Ｃを検出し、当該検出した空きチューナ４３Ａ乃至４３Ｃを、録画予約情報に含まれるチャンネル名のチャンネルに応じて制御する。
【０１５９】
さらに制御部４０は、このときデータ処理部４５を、チャンネルデータから番組データの抽出を開始するように制御する。
【０１６０】
これにより空きチューナ４３Ａ乃至４３Ｃは、録画予約情報に含まれる放送開始日時からは、テレビジョン放送データから、当該録画予約情報に含まれるチャンネル名のチャンネルのチャンネルデータを抽出する。
【０１６１】
そして空きチューナ４３Ａ乃至４３Ｃは、このようにテレビジョン放送データから抽出したチャンネルデータをデータ処理部４５に送出する。
【０１６２】
またデータ処理部４５は、制御部４０の制御のもと、空きチューナ４３Ａ乃至４３Ｃから与えられるチャンネルデータからの番組データの抽出を開始し、当該チャンネルデータから抽出した番組データをハードディスクドライブ４１に送出して記録する。
【０１６３】
ところで制御部４０は、番組データの記録を開始すると、タイマ５１を一旦リセットした後、当該タイマ５１に対し、現在日時から、録画予約情報に含まれる放送終了日時までの時間のカウントを開始させる。
【０１６４】
また制御部４０は、タイマ５１に対し、放送終了日時までの時間のカウントが終了した時点に、そのカウントの終了を通知するように設定する。
【０１６５】
そして制御部４０は、タイマ５１からカウントの終了が通知されると、このときデータ処理部４５を、チャンネルデータからの番組データの抽出を終了するように制御する。
【０１６６】
よってデータ処理部４５は、制御部４０の制御のもとに開始していたチャンネルデータからの番組データの抽出を、当該制御部４０の制御のもとに終了すると共に、このときハードディスクドライブ４１への番組データの記録も終了する。
【０１６７】
このようにして制御部４０は、録画予約情報に従い、不可視番組情報が示す番組の番組データをチャンネルデータから抽出して記録する（すなわち、その番組を録画する）ことができる。
【０１６８】
そして制御部４０は、このように不可視番組情報が示す番組の番組データの記録が完了すると、ＲＡＭ４９に一時記録していた当該不可視番組情報をハードディスクドライブ４１に送出する。
【０１６９】
これにより制御部４０は、ハードディスクドライブ４１において不可視番組情報を、当該不可視番組情報が示す番組の番組データに検索用として対応付けて記録する。
【０１７０】
ところで、上述したように電子番組案内情報には、現時点からむこう１週間に放送予定の番組毎の電子番組情報が記述されている。
【０１７１】
因みに、以下の説明では、このように電子番組案内情報が示す、現在日時からむこう１週間のような番組の放送予定の範囲を、放送予定案内範囲とも呼ぶ。
【０１７２】
また印刷物２には、新聞のように、発行当日に放送予定の番組毎の印刷番組情報１２のみが印刷されているものがある。
【０１７３】
さらに印刷物２には、雑誌のように特定の曜日（又は日付）に先立って発行され、当該特定の曜日（又は日付）からむこう１週間に放送予定の番組毎の印刷番組情報１２が印刷されているものもある。
【０１７４】
さらに印刷物２には、例えば、特定の時期（例えば、年末年始）のみ、特定の曜日（又は日付）からむこう２週間のように、放送予定案内範囲よりも長い範囲に放送予定の番組毎の印刷番組情報１２が印刷されているものもある。
【０１７５】
このため情報読取装置３は、印刷物２の印刷面から放送予定案内範囲内（すなわち、現在日時からむこう１週間以内）に放送予定の番組の不可視番組情報を読み取って送信する場合がある。
【０１７６】
そして制御部４０は、情報読取装置３から放送予定案内範囲内に放送予定の番組の不可視番組情報が送信されると、当該不可視番組情報を受信したとき、上述のように録画予約情報を生成することができる。
【０１７７】
これに対して情報読取装置３は、印刷物２の印刷面から放送予定案内範囲よりも（すなわち、現在日時からむこう１週間よりも）さらに未来に放送予定の番組の不可視番組情報を読み取って送信する場合もある。
【０１７８】
そして制御部４０は、情報読取装置３から、放送予定案内範囲よりもさらに未来に放送予定の番組の不可視番組情報が送信されると、当該不可視番組情報を受信したとき、電子番組案内情報から当該番組の電子番組情報を探し出すことはできない。
【０１７９】
制御部４０は、不可視番組情報を受信したときに、当該不可視番組情報が示す番組の電子番組情報を探し出すことができないと、当該番組の録画予約を保留する。
【０１８０】
そして制御部４０は、予約保留通知信号を、通信インタフェース４８を介して無線通信部４７により情報読取装置３に送信する。
【０１８１】
ただし制御部４０は、放送予定案内範囲よりもさらに未来に放送予定の番組の不可視番組情報を受信すると、この後、電子番組案内情報を更新する毎に、その更新した電子番組案内情報をもとに、不可視番組情報が示す番組の電子番組情報を探索する。
【０１８２】
そして制御部４０は、このようにして、録画予約を保留していた番組の電子番組情報を検出すると、上述と同様に、その検出した電子番組情報を利用して録画予約情報を生成する。
【０１８３】
また制御部４０は、その録画予約情報に従って、対応する番組の番組データを記録するようにして当該番組を録画する。
【０１８４】
ところで制御部４０は、上述したように不可視番組情報の受信時、現在日時を当該不可視番組情報に含まれる放送開始日時と比較した結果、現在日時が放送開始日時よりも後であると、引き続き放送開始日時に番組長さを加算して放送終了日時を算出する。
【０１８５】
また制御部４０は、現在日時を放送終了日時と比較する。その結果、制御部４０は、現在日時が放送終了日時よりも前であると、不可視番組情報が示す番組が現在放送中であると判断する。
【０１８６】
そして制御部４０は、引き続き、その不可視番組情報が示す番組を現在録画中であるか否かを検出する。その結果、制御部４０は、不可視番組情報が示す番組を現在、録画してはいないと、当該不可視番組情報が示す番組の番組データを記録するように判別する。
【０１８７】
この際、制御部４０は、上述と同様にハードディスクドライブ４１から、不可視番組情報に含まれるチャンネル名のチャンネルで配信された電子番組案内情報を読み出し、当該不可視番組情報が示す番組の電子番組情報を探索する。
【０１８８】
そして制御部４０は、不可視番組情報が示す番組の電子番組情報を検出すると、１つの空きチューナ４３Ａ乃至４３Ｃを、その電子番組情報に含まれるチャンネル名のチャンネルに応じて制御する。
【０１８９】
また制御部４０は、データ処理部４５を、チャンネルデータから番組データの抽出を開始するように制御する。
【０１９０】
これにより１つの空きチューナ４３Ａ乃至４３Ｃは、制御部４０の制御のもとにテレビジョン放送データから、電子番組情報に含まれるチャンネル名のチャンネルのチャンネルデータを抽出する。
【０１９１】
そして空きチューナ４３Ａ乃至４３Ｃは、このようにテレビジョン放送データから抽出したチャンネルデータをデータ処理部４５に送出する。
【０１９２】
またデータ処理部４５は、制御部４０の制御のもと、空きチューナ４３Ａ乃至４３Ｃから与えられるチャンネルデータからの番組データの抽出を開始し、当該チャンネルデータから抽出した番組データをハードディスクドライブ４１に送出して記録する。
【０１９３】
ところで記録再生装置４は、不可視番組情報が示す番組の番組データの記録を開始すると、記録開始通知信号を、通信インタフェース４８を介して無線通信部４７により情報読取装置３に送信する。
【０１９４】
また制御部４０は、番組データの記録を開始すると、タイマ５１を一旦リセットした後、当該タイマ５１に対し、現在日時から、電子番組情報に含まれる放送終了日時までの時間のカウントを開始させる。
【０１９５】
ただし、制御部４０は、電子番組情報に延長時間が含まれていると、当該電子番組情報に含まれる放送終了日時を延長時間だけ遅らせるように修正する。
【０１９６】
そして制御部４０は、タイマ５１に、現在日時から、その修正した放送終了日時までの時間のカウントを開始させる。
【０１９７】
また制御部４０は、タイマ５１に対し、放送終了日時までの時間のカウントが終了した時点に、そのカウントの終了を通知するように設定する。
【０１９８】
そして制御部４０は、タイマ５１からカウントの終了が通知されると、このときデータ処理部４５を、チャンネルデータからの番組データの抽出を終了するように制御する。
【０１９９】
よってデータ処理部４５は、制御部４０の制御のもとに開始していたチャンネルデータからの番組データの抽出を、当該制御部４０の制御のもとに終了すると共に、このときハードディスクドライブ４１への番組データの記録も終了する。
【０２００】
このようにして制御部４０は、不可視番組情報が示す番組が現在放送中であると、対応する電子番組情報を利用して、当該番組の番組データを放送途中から放送終了日時まで記録する。
【０２０１】
そして制御部４０は、このように不可視番組情報が示す番組の番組データの記録が完了すると、ＲＡＭ４９に一時記録していた当該不可視番組情報をハードディスクドライブ４１に送出する。
【０２０２】
これにより制御部４０は、ハードディスクドライブ４１において不可視番組情報を、その不可視番組情報が示す番組の番組データに検索用として対応付けて記録する。
【０２０３】
ところで制御部４０は、上述したように不可視番組情報の受信時、当該不可視番組情報が示す番組が現在放送中てあると判断すると、その番組が現在録画中であるか否かも合せて検出する。
【０２０４】
その結果、制御部４０は、不可視番組情報が示す番組が現在録画中であると、その現在録画中の番組の録画予約情報に対応付けている不可視番組情報が、このとき受信した不可視番組情報と同一であるか否かを検出する。
【０２０５】
制御部４０は、現在録画中の番組の録画予約情報に対応付けている不可視番組情報が、このとき受信した不可視番組情報とは異なると、その受信した不可視番組情報が示す番組を録画してはいないと判断する。
【０２０６】
そして制御部４０は、このとき受信した不可視番組情報が示す番組の番組データを記録するように判別する。
【０２０７】
制御部４０は、このようにして他の番組の録画中に、このとき受信した不可視番組情報が示す番組の番組データを記録するように判別すると、上述と同様に空きチューナ４３Ａ乃至４３Ｃを利用して、当該不可視番組情報が示す番組の番組データを記録する。
【０２０８】
これに対して、制御部４０は、現在録画中の番組の録画予約情報に対応付けている不可視番組情報が、このとき受信した不可視番組情報と同一であると、その受信した不可視番組情報が示す番組が現在録画中であると判断する。
【０２０９】
そして制御部４０は、不可視番組情報が示す番組の録画を継続するように判別する（すなわち、不可視番組情報が示す番組の番組データの記録を継続するように判別する）。
【０２１０】
また制御部４０は、このとき、不可視番組情報が示す番組の録画を継続しながら、当該番組データを再生するようにも判別する。
【０２１１】
このとき制御部４０は、データ出力部４４及びＨＤＭＩケーブルを介して表示装置５の動作状態を確認する。
【０２１２】
その結果、制御部４０は、表示装置５が電源オフ状態であると、ＨＤＭＩ−ＣＥＣ規格に準じた制御データをデータ出力部４４からＨＤＭＩケーブルを介して表示装置５に送信する。
【０２１３】
これにより制御部４０は、上述と同様に制御データに基づいて表示装置５を制御して、当該表示装置５を電源オン状態にすると共に、記録再生装置４から番組データとして送信する映像データ及び音声データを取り込むように制御する。
【０２１４】
制御部４０は、このように表示装置５が動作している状態（すなわち、電源オン状態）でハードディスクドライブ４１から、現在記録中の番組データを、その先頭位置から順に読み出すと共に、当該読み出した番組データをデータ処理部４５に送出する。
【０２１５】
データ処理部４５は、ハードディスクドライブ４１から読み出された番組データを映像データ及び音声データに分離する。
【０２１６】
またデータ処理部４５は、その映像データ及び音声データそれぞれに復号等の再生処理を施した後、これら映像データ及び音声データをデータ出力部４４からＨＤＭＩケーブルを介して表示装置５に送信する。
【０２１７】
これにより制御部４０は、表示装置５において映像データに基づく番組映像をディスプレイに表示させると共に、その番組映像の表示に合せてスピーカから音声データに基づく番組音声を出力させる。
【０２１８】
このようにして制御部４０は、現在録画中の番組（すなわち、不可視番組情報が示す番組）を、その放送開始時点から表示装置５を介して視聴させることができる。
【０２１９】
ところで制御部４０は、上述したように不可視番組情報の受信時、現在日時と放送終了日時とを比較した結果、現在日時が放送終了日時よりも後であると、不可視番組情報が示す番組の放送がすでに終了していると判断する。
【０２２０】
そして制御部４０は、不可視番組情報が示す番組の番組データを記録しないと判別すると共に、すでに記録済みの番組データを再生すると判別する。
【０２２１】
この際、制御部４０は、ハードディスクドライブ４１に対し番組データに対応付けて記録している不可視番組情報を、このとき受信した不可視番組情報と比較する。
【０２２２】
その結果、制御部４０は、ハードディスクドライブ４１に記録している不可視番組情報の中から、このとき受信した不可視番組情報と同一の不可視番組情報を検出すると、当該検出した不可視番組情報に対応付けている番組データを再生対象として検出する。
【０２２３】
また制御部４０は、このときデータ出力部４４及びＨＤＭＩケーブルを介して表示装置５の動作状態を確認する。
【０２２４】
その結果、制御部４０は、表示装置５が電源オフ状態であると、上述と同様に制御データをデータ出力部４４からＨＤＭＩケーブルを介して表示装置５に送信して、当該表示装置５を制御データに基づいて制御する。
【０２２５】
制御部４０は、このように表示装置５が動作している状態（すなわち、電源オン状態）でハードディスクドライブ４１から、その再生対象として検出した番組データを先頭位置から読み出すと共に、当該読み出した番組データをデータ処理部４５に送出する。
【０２２６】
データ処理部４５は、その映像データ及び音声データそれぞれに復号等の再生処理を施した後、これら映像データ及び音声データをデータ出力部４４からＨＤＭＩケーブルを介して表示装置５に送信する。
【０２２７】
これにより制御部４０は、表示装置５において映像データに基づく番組映像をディスプレイに表示させると共に、その番組映像の表示に合せてスピーカから音声データに基づく番組音声を出力させる。
【０２２８】
このようにして制御部４０は、すでに録画していた番組（すなわち、不可視番組情報が示す番組）を、表示装置５を介して視聴させることができる。
【０２２９】
ところで制御部４０は、上述したように不可視番組情報の受信時、当該受信した不可視番組情報を、ハードディスクドライブ４１に対し番組データに対応付けて記録している不可視番組情報と比較する。
【０２３０】
この際、制御部４０は、受信した不可視番組情報と同一の不可視番組情報をハードディスクドライブ４１に記録してはいないと、記録済の番組データの中から、後述するように不可視番組情報が示す番組とは異なる他の番組の番組データを再生対象として選択する。
【０２３１】
そして制御部４０は、再生対象の番組データを選択すると、データ出力部４４及びＨＤＭＩケーブルを介して表示装置５の動作状態を確認する。
【０２３２】
その結果、制御部４０は、表示装置５が電源オフ状態であると、上述と同様に制御データをデータ出力部４４からＨＤＭＩケーブルを介して表示装置５に送信して、当該表示装置５を制御データに基づいて制御する。
【０２３３】
制御部４０は、このように表示装置５が動作している状態（すなわち、電源オン状態）でハードディスクドライブ４１から、その再生対象として選択した番組データを先頭位置から読み出すと共に、当該読み出した番組データをデータ処理部４５に送出する。
【０２３４】
データ処理部４５は、その映像データ及び音声データそれぞれに復号等の再生処理を施した後、これら映像データ及び音声データをデータ出力部４４からＨＤＭＩケーブルを介して表示装置５に送信する。
【０２３５】
これにより制御部４０は、表示装置５において映像データに基づく番組映像をディスプレイに表示させると共に、その番組映像の表示に合せてスピーカから音声データに基づく番組音声を出力させる。
【０２３６】
このようにして制御部４０は、すでに録画していた番組（すなわち、不可視番組情報が示す番組とは異なる他の番組）を、表示装置５を介して視聴させることができる。
【０２３７】
実際に制御部４０は、受信した不可視番組情報と同一の不可視番組情報をハードディスクドライブ４１に記録していないと、受信した不可視番組情報とハードディスクドライブ４１に記録している不可視番組情報とにおいて放送開始日時の時刻部分同士を比較する。
【０２３８】
その結果、制御部４０は、ハードディスクドライブ４１に記録している不可視番組情報の中から、このとき受信した不可視番組情報と時刻部分が一致する不可視番組情報を検出すると、当該検出した不可視番組情報に対応付けている番組データを検出する。
【０２３９】
この際、制御部４０は、番組データを１つのみ検出すると、当該検出した１つの番組データを再生対象として選択して、当該番組データの選択を終了する。
【０２４０】
また制御部４０は、番組データを複数検出すると、これら番組データに対応付けている不可視番組情報と、このとき受信した不可視番組情報とにおいて例えば、チャンネル名同士を比較する。
【０２４１】
その結果、制御部４０は、複数の番組データ各々に対応付けている不可視番組情報の中から、このとき受信した不可視番組情報とチャンネル名が一致する不可視番組情報を検出すると、当該検出した不可視番組情報に対応付けている番組データを改めて検出する。
【０２４２】
この際、制御部４０は、番組データを１つのみ検出すると、当該検出した１つの番組データを再生対象として選択して、当該番組データの選択を終了する。
【０２４３】
また制御部４０は、未だ番組データを複数検出していると、これら番組データに対応付けている不可視番組情報と、このとき受信した不可視番組情報とにおいて例えば、番組長さ同士を比較する。
【０２４４】
その結果、制御部４０は、複数の番組データ各々に対応付けている不可視番組情報の中から、このとき受信した不可視番組情報と番組長さが一致、又は互いの差が最も短い不可視番組情報を検出し、その可視番組情報に対応付けている番組データを改めて検出する。
【０２４５】
この際、制御部４０は、番組データを１つのみ検出すると、当該検出した１つの番組データを再生対象として選択して、当該番組データの選択を終了する。
【０２４６】
また制御部４０は、未だ番組データを複数検出していると、例えば、これら複数の番組データの中から再生対象の番組データを無作為に１つ選択して、当該番組データの選択を終了する。
【０２４７】
ところで制御部４０は、選択対象の１つの番組データを選択するために基本的には、ハードディスクドライブ４１に記録している不可視番組情報と、このとき受信した不可視番組情報とにおいて時刻部分、チャンネル名、番組長さを段階的に比較する。
【０２４８】
そして制御部４０は、このようなハードディスクドライブ４１に記録している不可視番組情報と、このとき受信した不可視番組情報との段階的な比較の何れかにおいて、番組データを何ら検出し得ない場合も次の比較に移る。
【０２４９】
よって制御部４０は、ハードディスクドライブ４１にすでに記録している複数の番組データを徐々に絞り込むようにして、最終的に再生対象の１つの番組データを選択する。
【０２５０】
ただし、制御部４０は、このような段階的な比較を最後まで実行しても、番組データを全く検出し得ないときには、ハードディスクドライブ４１にすでに記録している複数の番組データの中から再生対象の番組データを無作為に１つ選択する。
【０２５１】
このようにして制御部４０は、番組データを再生するように判別したときには、何れか１つの番組データを再生対象として選択して再生するようになされている。
【０２５２】
（１−５）番組データ記録再生処理
次いで、図９及び図１０に示すフローチャートを用いて、情報読取装置３及び記録再生装置４が実行する上述した一連の番組データ記録再生処理手順について説明する。
【０２５３】
この場合、情報読取装置３の制御部３０は、内部のメモリに予め記録している情報読取プログラムに従って図９（Ａ）に示す情報読取処理手順ＲＴ１を開始する。
【０２５４】
情報読取装置３の制御部３０は、かかる情報読取処理手順ＲＴ１を開始すると、ステップＳＰ１において印刷物２の印刷面に本体部２０の他端が押し付けられることを待ち受ける。
【０２５５】
そして情報読取装置３の制御部３０は、印刷物２の印刷面に本体部２０の他端が押し付けられて、これを圧力センサ２１を介して検出すると、次のステップＳＰ２に移る。
【０２５６】
ステップＳＰ２において情報読取装置３の制御部３０は、近赤外光源２３により印刷物２の印刷面に近赤外線Ｌ２を照射しながら、当該印刷面をカメラ部２４によって撮像して近赤外画像データを生成して、次のステップＳＰ３に移る。
【０２５７】
ステップＳＰ３において情報読取装置３の制御部３０は、可視光源２２により印刷物２の印刷面に可視光線Ｌ１を照射しながら、当該印刷面をカメラ部２４によって撮像して可視画像データを生成して、次のステップＳＰ４に移る。
【０２５８】
ステップＳＰ４において情報読取装置３の制御部３０は、近赤外画像データから可視画像データを減算してコード画像データを生成すると共に、当該コード画像データに基づくコード画像から不可視２次元コード１２Ｂを切り出して、次のステップＳＰ５に移る。
【０２５９】
ステップＳＰ５において情報読取装置３の制御部３０は、不可視２次元コード１２Ｂを復号して不可視番組情報を生成するようにし、このようにして印刷物２の印刷面から不可視番組情報を読み出すと、次のステップＳＰ６に移る。
【０２６０】
ステップＳＰ６において情報読取装置３の制御部３０は、不可視番組情報を、通信インタフェース３４を介して無線通信部３５により記録再生装置４に送信して、次のステップＳＰ７に移る。
【０２６１】
この際、記録再生装置４の制御部４０は、内部のメモリ又はハードディスクドライブ４１に予め記録された記録再生プログラムに従って図９（Ｂ）及び図１０に示す記録再生処理手順ＲＴ２を開始する。
【０２６２】
記録再生装置４の制御部４０は、かかる記録再生処理手順ＲＴ２を開始すると、ステップＳＰ２１において情報読取装置３から不可視番組情報が送信されることを待ち受ける。
【０２６３】
そして記録再生装置４の制御部４０は、情報読取装置３から送信された不可視番組情報を無線通信部４７によって受信して通信インタフェース４８を介して取り込むと、次のステップＳＰ２２に移る。
【０２６４】
ステップＳＰ２２において記録再生装置４の制御部４０は、現在日時を、不可視番組情報に含まれる放送開始日時と比較して、次のステップＳＰ２３に移る。
【０２６５】
ステップＳＰ２３において記録再生装置４の制御部４０は、現在日時が不可視番組情報に含まれる放送開始日時よりも前であるか否かを判別する。
【０２６６】
このステップＳＰ２３において肯定結果が得られると、このことは不可視番組情報が示す番組が未だ放送されてはいないことを表している。
【０２６７】
よって記録再生装置４の制御部４０は、ステップＳＰ２３において、かかる肯定結果を得ると、次のステップＳＰ２４に移る。
【０２６８】
ステップＳＰ２４において記録再生装置４の制御部４０は、不可視番組情報が示す番組の番組データを記録すると判別して、次のステップＳＰ２５に移る。
【０２６９】
ステップＳＰ２５において記録再生装置４の制御部４０は、電子番組案内情報に記述されている複数の電子番組情報の中から、不可視番組情報が示す番組の電子番組情報を探索して、次のステップＳＰ２６に移る。
【０２７０】
ステップＳＰ２６において記録再生装置４の制御部４０は、不可視番組情報が示す番組の電子番組情報を検出したか否かを判別する。
【０２７１】
このステップＳＰ２６において肯定結果が得られると、このことは不可視番組情報が示す番組は、放送予定案内範囲内（現在日時からむこう１週間以内）に放送予定の番組であり、すでに取得した電子番組情報を利用して録画予約情報を生成し得ることを表している。
【０２７２】
よって記録再生装置４の制御部４０は、ステップＳＰ２６において、かかる肯定結果を得ると、次のステップＳＰ２７に移る。
【０２７３】
ステップＳＰ２７において記録再生装置４の制御部４０は、不可視番組情報が示す番組の電子番組情報を利用して、当該番組用の録画予約情報を生成し、その録画予約情報に当該不可視番組情報を付加する。
【０２７４】
また記録再生装置４の制御部４０は、その録画予約情報を、これに付加した不可視番組情報と共にハードディスクドライブ４１に記録して、次のステップＳＰ２８に移る。
【０２７５】
ステップＳＰ２８において記録再生装置４の制御部４０は、予約完了通知信号を、通信インタフェース４８を介して無線通信部４７から情報読取装置３に送信した後、ステップＳＰ２１に戻る。
【０２７６】
また上述のステップＳＰ２６において否定結果が得られると、このことは不可視番組情報が示す番組が、放送予定案内範囲（現在日時からむこう１週間）よりも未来に放送予定の番組であり、その番組の電子番組情報を未だ取得してはいないことを表している。
【０２７７】
よって記録再生装置４の制御部４０は、ステップＳＰ２６において、かかる否定結果を得ると、ステップＳＰ２９に移る。
【０２７８】
そしてステップＳＰ２９において記録再生装置４の制御部４０は、予約保留通知信号を、通信インタフェース４８を介して無線通信部４７から情報読取装置３に送信した後、ステップＳＰ２１に戻る。
【０２７９】
因みに、記録再生装置４の制御部４０は、不可視番組情報が示す番組の録画予約を保留すると、記録再生処理手順ＲＴ２とは別処理として、電子番組案内情報が更新される毎に、その番組の電子番組情報を探索して、放送前までに録画予約情報を生成する。
【０２８０】
また上述のステップＳＰ２３において否定結果が得られると、このことは不可視番組情報が示す番組が現在放送中である、又はすでに放送が終了していることを表している。
【０２８１】
よって記録再生装置４の制御部４０は、ステップＳＰ２３において、かかる否定結果を得ると、ステップＳＰ３０に移る。
【０２８２】
ステップＳＰ３０において記録再生装置４の制御部４０は、不可視番組情報に含まれる放送開始日時と番組長さとを加算して放送終了日時を算出し、現在日時を、その放送終了日時と比較して、次のステップＳＰ３１に移る。
【０２８３】
ステップＳＰ３１において記録再生装置４の制御部４０は、現在日時が、不可視番組情報が示す番組の放送終了日時よりも前であるか否かを判別する。
【０２８４】
このステップＳＰ３１において肯定結果が得られると、このことは不可視番組情報が示す番組が現在放送中であることを表している。
【０２８５】
よって記録再生装置４の制御部４０は、ステップＳＰ３１において、かかる肯定結果を得ると、次のステップＳＰ３２に移る。
【０２８６】
ステップＳＰ３２において記録再生装置４の制御部４０は、不可視番組情報が示す番組を現在、録画中であるか否かを判別する。
【０２８７】
このステップＳＰ３２において肯定結果が得られると、このことは、不可視番組情報が示す番組が、その放送開始日時より以前にも、ユーザにより印刷物２の印刷面上で情報読取装置３を介して選択されていたことを表している。
【０２８８】
よって記録再生装置４の制御部４０は、ステップＳＰ３２において、かかる肯定結果を得ると、次のステップＳＰ３３に移る。
【０２８９】
そしてステップＳＰ３３において記録再生装置４の制御部４０は、不可視番組情報が示す、現在録画中の番組の番組データを再生すると判別して、次のステップＳＰ３４に移る。
【０２９０】
ステップＳＰ３４において記録再生装置４の制御部４０は、不可視番組情報が示す番組の録画を継続しながら、ハードディスクドライブ４１から当該番組の番組データを先頭位置から読み出しデータ処理部４５により再生処理を開始して、ステップＳＰ２１に戻る。
【０２９１】
またステップＳＰ３２において否定結果が得られると、このことは、不可視番組情報が示す番組が、ユーザにより、今回、印刷物２の印刷面上で情報読取装置３を介して初めて選択されたことを表している。
【０２９２】
よって記録再生装置４の制御部４０は、ステップＳＰ３２において、かかる否定結果を得ると、ステップＳＰ３５に移る。
【０２９３】
そしてステップＳＰ３５において記録再生装置４の制御部４０は、不可視番組情報が示す番組の番組データを記録すると判別する。
【０２９４】
そして記録再生装置４の制御部４０は、不可視番組情報が示す番組の放送途中から、当該番組の番組データに対する記録を開始して、次のステップＳＰ３６に移る。
【０２９５】
ステップＳＰ３６において記録再生装置４の制御部４０は、記録開始通知信号を、通信インタフェース４８を介して無線通信部４７から情報読取装置３に送信した後、ステップＳＰ２１に戻る。
【０２９６】
ところで、ステップＳＰ７において情報読取装置３の制御部３０は、記録再生装置４から送信された通知信号を受信したか否かを判別する。
【０２９７】
このステップＳＰ７において肯定結果が得られると、このことは記録再生装置４から送信された予約完了通知信号、予約保留通知信号及び記録開始通知信号の何れか１つを受信したことを表している。
【０２９８】
よって情報読取装置３の制御部３０は、ステップＳＰ７においてかかる肯定結果を得ると、次のステップＳＰ８に移る。
【０２９９】
ステップＳＰ８において情報読取装置３の制御部３０は、このとき受信した通知信号が予約完了通知信号又は記録開始通知信号であるか否かを判別する。
【０３００】
このステップＳＰ８において肯定結果が得られると、情報読取装置３から不可視番組情報を記録再生装置４に送信した結果、当該記録再生装置４において、その場で不可視番組情報が示す番組が録画予約された、又は当該番組の録画が開始されたことを表している。
【０３０１】
よって情報読取装置３の制御部３０は、このステップＳＰ８において、かかる肯定結果を得ると、次のステップＳＰ９に移る。
【０３０２】
ステップＳＰ９において情報読取装置３の制御部３０は、通知部３６により、予約完了通知用又は記録開始通知用の通知音を発生させる。また情報読取装置３の制御部３０は、印刷部２５により印刷物２の印刷面にマークを印刷する。
【０３０３】
これにより情報読取装置３の制御部３０は、ユーザに番組の録画予約が完了したこと、又は当該番組の録画を開始したことを通知した後、ステップＳＰ１に戻る。
【０３０４】
ところでステップＳＰ８において否定結果が得られると、このことは記録再生装置４において、不可視番組情報が示す番組の録画予約が保留されたことを表している。
【０３０５】
よって情報読取装置３の制御部３０は、ステップＳＰ８において、かかる否定結果を得ると、ステップＳＰ１０に移る。
【０３０６】
そしてステップＳＰ１０において情報読取装置３の制御部３０は、通知部３６により予約保留通知用の通知音を発生させて、番組の録画予約が保留されたことを通知した後、ステップＳＰ１に戻る。
【０３０７】
このようにして情報読取装置３の制御部３０は、その動作中に、上述したステップＳＰ１乃至ステップＳＰ１０の処理を循環的に繰り返し実行する。
【０３０８】
ところで上述のステップＳＰ３１において否定結果が得られると、このことは不可視番組情報が示す番組の放送がすでに終了していることを表している。
【０３０９】
よって記録再生装置４の制御部４０は、ステップＳＰ３１において、かかる否定結果を得ると、ステップＳＰ３７に移る。
【０３１０】
ステップＳＰ３７において記録再生装置４の制御部４０は、すでに記録済みの番組データを再生すると判別して、次のステップＳＰ３８に移る。
【０３１１】
ステップＳＰ３８において記録再生装置４の制御部４０は、このとき受信した不可視番組情報を、ハードディスクドライブ４１に番組データの検索用として記録している不可視番組情報と比較する。
【０３１２】
そして記録再生装置４の制御部４０は、その比較結果をもとに、このとき受信した不可視番組情報が示す番組の番組データをすでに記録しているか否かを判別する。
【０３１３】
このステップＳＰ３８において肯定結果が得られると、このことは、不可視番組情報が示す番組が、以前にもユーザにより印刷物２の印刷面上で情報読取装置３を介して選択され、これに応じて当該番組の録画がすでに終了していることを表している。
【０３１４】
よって記録再生装置４の制御部４０は、ステップＳＰ３８において、かかる肯定結果を得ると、次のステップＳＰ３９に移る。
【０３１５】
そしてステップＳＰ３９において記録再生装置４の制御部４０は、ハードディスクドライブ４１から、このとき受信した不可視番組情報が示す番組の番組データを読み出しデータ処理部４５において再生処理を開始して、ステップＳＰ２１に戻る。
【０３１６】
またステップＳＰ３８において否定結果が得られると、このことは不可視番組情報が示す番組が、ユーザにより印刷物２の印刷面上で情報読取装置３を介して今回始めて選択された、又は以前にも選択されたが未だ録画予約を保留していることを表している。
【０３１７】
よって記録再生装置４の制御部４０は、ステップＳＰ３８において、かかる否定結果を得ると、ステップＳＰ４０に移る。
【０３１８】
そしてステップＳＰ４０において記録再生装置４の制御部４０は、上述したように、このとき受信した不可視番組情報を、ハードディスクドライブ４１に番組データの検索用として記録している不可視番組情報と比較する。
【０３１９】
そして記録再生装置４の制御部４０は、その比較結果に基づき、再生対象の１つの番組データを選択して、次のステップＳＰ４１に移る。
【０３２０】
ステップＳＰ４１において記録再生装置４の制御部４０は、ハードディスクドライブ４１から、再生対象に選択した１つの番組データを先頭位置から読み出しデータ処理部４５において再生処理を開始した後、ステップＳＰ２１に戻る。
【０３２１】
このようにして記録再生装置４の制御部４０は、その動作中に、上述したステップＳＰ２１乃至ステップＳＰ４１の処理を循環的に繰り返し実行する。
【０３２２】
そして情報読取装置３及び記録再生装置４は、このように互いに連携して情報読取処理手順ＲＴ１及び記録再生処理手順ＲＴ２からなる番組データ記録再生処理手順を実行することにより、番組データを記録し、また再生することができる。
【０３２３】
（１−６）実施の形態の動作及び効果
以上の構成において、記録再生システム１の情報読取装置３は、印刷物２の印刷面において、番組表１０内の所望の番組の印刷番組情報１２の印刷領域内に押し付けられると、当該印刷領域内に不可視２次元コード１２Ｂとして印刷されている不可視番組情報を読み取る。そして情報読取装置３は、その不可視番組情報を記録再生装置４に送信する。
【０３２４】
記録再生システム１の記録再生装置４は、不可視番組情報を受信すると、その不可視番組情報と現在日時とに基づいて、当該不可視番組情報が示す番組の番組データを記録するか否かを判別する。そして記録再生装置４は、不可視番組情報が示す番組の番組データを記録すると判別すると、その番組データを記録する。
【０３２５】
また記録再生装置４は、不可視番組情報が示す番組の番組データを記録しないと判別すると、すでに記録している当該番組の番組データ又は他の番組データを再生すると判別する。そして記録再生装置４は、すでに記録している、不可視番組情報が示す番組の番組データ又は他の番組の番組データを再生する。
【０３２６】
従って記録再生システム１は、所望の番組の番組データに対する記録と再生との何れを要求する場合でも、印刷物２の印刷面に印刷された番組表１０内で当該所望の番組の印刷番組情報１２に情報読取装置３を接触させる操作を行わせるだけでよく、操作を簡易化することができる。
【０３２７】
以上の構成によれば、記録再生システム１は、情報読取装置３が印刷物２の印刷面において番組表１０内の所望の番組の印刷番組情報１２の印刷領域内に押し付けられると、その印刷領域内の不可視番組情報を読み取って記録再生装置４に送信し、当該不可視番組情報を受信した記録再生装置４が、その不可視番組情報と現在日時とに基づいて、不可視番組情報が示す番組の番組データを記録するか再生するかを判別するようにして、当該記録すると判別すると、不可視番組情報が示す番組の番組データを記録し、再生すると判別すると、すでに記録している、不可視番組情報が示す番組の番組データ又は他の番組の番組データを再生するようにした。これにより記録再生システム１は、所望の番組の番組データに対する記録と再生との何れを要求する場合でも、印刷物２の印刷面に印刷された番組表１０内で当該所望の番組の印刷番組情報１２に情報読取装置３を接触させる操作を行わせるだけでよく、操作を簡易化することができる。よって記録再生システム１は、操作性を格段的に向上させることができる。
【０３２８】
また記録再生システム１では、記録再生装置４が、不可視番組情報を受信したとき、その不可視番組情報と現在日時とに基づいて、当該不可視番組情報が示す番組が今後、放送予定の番組であると判断すると、録画予約情報を生成する。
【０３２９】
そして記録再生システム１では、記録再生装置４が、その録画予約情報に従って、その番組の番組データを記録するようにした。
【０３３０】
さらに記録再生システム１では、記録再生装置４が、不可視番組情報を受信したとき、その不可視番組情報と現在日時とに基づいて、当該不可視番組情報が示す番組が現在放送中であると判断すると、その番組の放送途中から番組データを記録するようにした。
【０３３１】
従って記録再生システム１は、今後、放送予定の番組の番組データと、現在放送中の番組の番組データとの記録の何れを要求する場合でも、特に操作の仕方を変えさせることなく、印刷物２の印刷面に印刷されている番組表１０内で、これら番組の印刷番組情報１２に情報読取装置３を接触させて当該番組を選択させるだけの簡易な操作で、何れの記録も要求させることができる。
【０３３２】
さらに記録再生システム１では、記録再生装置４が、不可視番組情報を受信したとき、当該不可視番組情報が示す番組が現在日時よりも後に放送予定であると、電子番組案内情報から不可視番組情報が示す番組の電子番組情報を検出する。
【０３３３】
そして記録再生システム１では、記録再生装置４が、その検出した電子番組情報を利用して録画予約情報を生成し、当該生成した録画予約情報に従って、不可視番組情報が示す番組の番組データを記録するようにした。
【０３３４】
よって記録再生システム１は、番組データを記録すると判別した番組が、放送時間の延長が許容された番組であっても、当該番組データの記録が途中で中断され、また他の異なる番組データが代わりに記録されることを未然に回避することができる。
【０３３５】
ただし記録再生システム１では、記録再生装置４が、不可視番組情報が示す番組が現在日時よりも後に放送予定であっても、電子番組案内情報から不可視番組情報が示す番組の電子番組情報を検出し得ないと、録画予約を保留する。
【０３３６】
そして記録再生システム１では、記録再生装置４が、電子番組案内情報が更新される毎に、当該更新された電子番組案内情報に不可視番組情報が示す番組の電子番組情報が記述されているか否かを検出する。
【０３３７】
その結果、記録再生システム１では、記録再生装置４が、電子番組案内情報から不可視番組情報が示す番組の電子番組情報を検出すると、当該検出した電子番組情報を利用して録画予約情報を生成し、保留していた約画予約を実行するようにした。
【０３３８】
従って記録再生システム１は、印刷物２の印刷面に印刷された番組表１０が示す放送予定範囲が、電子番組案内情報の放送予定案内範囲からずれている、また上回っている場合でも、印刷物２の印刷面に印刷されている番組表１０内で、１度、番組を、その放送開始日時を何ら気にさせずに選択させるだけで、その番組を録画予約することができる。
【０３３９】
さらに記録再生システム１では、記録再生装置４が、不可視番組情報を受信したとき、当該不可視番組情報が示す番組が放送中である場合も、電子番組案内情報から不可視番組情報が示す番組の電子番組情報を検出する。
【０３４０】
そして記録再生システム１では、記録再生装置４が、その検出した電子番組情報を利用して、不可視番組情報が示す番組の番組データを記録するようにした。
【０３４１】
よって記録再生システム１は、現在放送中の番組が、放送時間の延長が許容された番組であっても、当該番組の番組データの記録が途中で中断され、また他の異なる番組データが代わりに記録されることを未然に回避することができる。
【０３４２】
そして記録再生システム１は、このように番組の録画予約が完了したときや、番組の放送途中から当該番組の番組データの記録を開始したときには、印刷物２の印刷面において、このとき情報読取装置３が接触している印刷番組情報１２上にマークを印刷するようにした。
【０３４３】
従って記録再生システム１は、この後、番組データの再生を要求する際に、印刷物２の印刷面上で、番組データの記録が済んでいる番組や、現在、番組データを記録中の番組（すなわち、現在録画中の番組）を容易に確認させることができる。
【０３４４】
そして記録再生システム１は、印刷物２の印刷面において、すでに番組データの記録が済んでいる番組や、現在、番組データを記録中の番組の印刷番組情報１２に情報読取装置３を接触させて、その番組を選択させるだけで、これら番組の番組データに対する再生を要求させることができる。
【０３４５】
さらに記録再生システム１では、印刷物２の印刷面に対し番組毎の印刷番組情報１２として、文字列によって形成される可視番組情報１２Ａを印刷すると共に、当該可視番組情報１２Ａの個々の文字や文字列中に存在する１文字分の空白部分をそれぞれ個別に囲むように、不可視番組情報を表現する不可視２次元コード１２Ｂを複数印刷するようにした。
【０３４６】
よって記録再生システム１は、印刷物２の印刷面において所望の番組に関する印刷番組情報１２の印刷領域内であれば、当該印刷領域内のどの位置に情報読取装置３を接触させても、不可視２次元コード１２Ｂをもとに不可視番組情報を読み取ることができる。
【０３４７】
すなわち、記録再生システム１は、印刷物２の印刷面において所望の番組に関する印刷番組情報１２の印刷領域内で、情報読取装置３を接触させる位置を特には限定しないようにした。
【０３４８】
これにより記録再生システム１は、印刷物２の印刷面上で、所望の番組の印刷番組情報１２を選択させる際の操作性を向上させることができる。
【０３４９】
（２）他の実施の形態
（２−１）他の実施の形態１
なお上述した実施の形態においては、情報読取装置３において、録画予約が完了したときや番組データの記録が開始されたときに通知部３６により通知音を発生させると共に、印刷部２５により印刷物２の印刷面にマークを印刷するようにした場合について述べた。
【０３５０】
しかしながら本発明は、これに限らず、情報読取装置３において、録画予約が完了したときや番組データの記録が開始されたときに通知部３６による通知音の発生のみを実行するようにしても良い。かかる構成によれば、情報読取装置３の構成を簡易化することができる。
【０３５１】
（２−２）他の実施の形態２
また上述した実施の形態においては、情報読取装置３において、録画予約が完了したときや番組データの記録が開始されたときに、印刷部２５により印刷物２の印刷面に同一のマークを印刷するようにした場合について述べた。
【０３５２】
しかしながら本発明は、これに限らず、情報読取装置３において、録画予約が完了したときや番組データの記録が開始されたときに、印刷部２５により印刷物２の印刷面に異なるマークを印刷するようにしても良い。
【０３５３】
また情報読取装置３は、録画予約が保留されたときにも、印刷部２５により印刷物２の印刷面に上述したマークと同じ又は異なるマークを印刷するようにしても良い。かかる構成によれば、印刷物２の印刷面上で印刷番組情報１２が選択されたときに、当該印刷物２の印刷面上で、番組データに対する記録の状況を確認させることができる。
【０３５４】
（２−３）他の実施の形態３
さらに上述した実施の形態においては、記録再生装置４において、番組の録画予約を保留したときに録画保留通知信号を情報読取装置３に送信するようにした場合について述べた。
【０３５５】
しかしながら本発明は、これに限らず、記録再生装置４において、番組の録画予約を保留しても、この後、当該番組を録画予約したときには、録画完了通知信号を情報読取装置３に送信するようにしても良い。
【０３５６】
（２−４）他の実施の形態４
さらに上述した実施の形態においては、記録再生装置４において、不可視番組情報が示す番組として、現在日時よりも後に放送予定の番組や現在放送中の番組について番組データを記録すると判別するようにした場合について述べた。
【０３５７】
しかしながら本発明は、これに限らず、記録再生装置４において、不可視番組情報が示す番組として、現在日時よりも後に放送予定の番組についてのみ番組データを記録すると判別するようにしても良い。
【０３５８】
そして、かかる構成の場合、不可視番組情報が示す番組として、現在放送中の番組については、その番組データを映像データ及び音声データとして表示装置５に送信することにより、当該表示装置５を介して、その番組を放送途中から視聴させるようにしても良い。
【０３５９】
（２−５）他の実施の形態５
さらに上述した実施の形態においては、記録再生装置４において、不可視番組情報が示す番組の番組データを再生するように判別したときに、当該不可視番組情報が示す番組の番組データを記録してはいないと、再生対象として１つの番組データを選択して再生するようにした場合について述べた。
【０３６０】
しかしながら本発明は、これに限らず、記録再生装置４において、不可視番組情報が示す番組の番組データを再生するように判別したときに、当該不可視番組情報が示す番組の番組データを記録してはいないと、上述したように、その不可視番組情報と、ハードディスクドライブ４１に記録している不可視番組情報とを比較するようにして１又は複数の番組データを検出する。
【０３６１】
そして記録再生装置４は、複数の番組データを検出したときには、その番組データの番組タイトルのリストを表示装置５に表示させ、ユーザに対し当該リストから再生対象の１つの番組データを番組タイトルとして任意に選択させるようにしても良い。
【０３６２】
また記録再生装置４では、ハードディスクドライブ４１に記録した番組データの再生履歴を管理し、上述したように、不可視番組情報が示す番組の番組データを再生するように判別したときに、当該不可視番組情報が示す番組の番組データを記録してはいないと、ハードディスクドライブ４１に記録している未再生の番組データを再生対象として選択して再生するようにしても良い。
【０３６３】
そして、かかる構成の場合、記録再生装置４では、ハードディスクドライブ４１に記録している未再生の番組データを再生対象として選択する際、例えば、ユーザ設定に応じて、不可視番組情報が示す番組の番組データと番組長さが一致又は最も差の短い番組データや、同一チャンネルで放送された番組の番組データ、さらには同一時間帯に放送された番組の番組データの何れか１つを選択するようにしても良い。
【０３６４】
かかる構成によれば、ユーザにより、未視聴の番組の視聴が要望されているにもかかわらずに、すでに視聴された番組を再び視聴させることを未然に回避して、未視聴の番組を視聴させることができる。
【０３６５】
（２−６）他の実施の形態６
さらに上述した実施の形態においては、記録再生装置４において、不可視番組情報が示す番組の番組データを再生すると判別したとき、当該不可視番組情報が示す番組の番組データと、他の番組の番組データとの何れかを再生するようにした場合について述べた。
【０３６６】
しかしながら本発明は、これに限らず、記録再生装置４において、不可視番組情報が示す番組の番組データを再生すると判別したとき、当該不可視番組情報が示す番組の番組データのみを再生するようにして、その番組データを記録していないときには、再生を中止するようにしても良い。
【０３６７】
かかる構成によれば、ユーザにより再生するように要望された番組データのみを再生して、特に要望されてはいない番組データまでも無駄に再生することを回避することができる。
【０３６８】
（２−７）他の実施の形態７
さらに上述した実施の形態においては、本発明による記録再生装置を、図１乃至図１０について上述した記録再生装置４に適用するようにした場合について述べた。
【０３６９】
しかしながら本発明は、これに限らず、アナログ系及び又はデジタル系のテレビジョン放送やラジオ放送を受信して当該テレビジョン放送の番組の番組データやラジオ放送の番組の番組データを記録再生するコンピュータや携帯電話機、ＰＤＡ（Personal Digital Assistance ）、ゲーム機器、携帯型再生装置、据置型記録再生装置等のように、この他種々の構成の記録再生装置に広く適用することができる。
【０３７０】
（２−８）他の実施の形態８
さらに上述した実施の形態においては、本発明による情報読取装置を、図１乃至図１０について上述した情報読取装置３に適用するようにした場合について述べた。
【０３７１】
しかしながら本発明は、これに限らず、ペン型の情報読取装置、リモートコントローラや携帯電話機等と一体化された情報読取装置等のように、この他種々の構成の情報読取装置に広く適用することができる。
【０３７２】
（２−９）他の実施の形態９
さらに上述した実施の形態においては、本発明による記録再生システムを、図１乃至図１０について上述した情報読取装置３及び記録再生装置４から構築される記録再生システム１に適用するようにした場合について述べた。
【０３７３】
しかしながら本発明は、これに限らず、アナログ系及び又はデジタル系のテレビジョン放送やラジオ放送を受信して当該テレビジョン放送の番組の番組データやラジオ放送の番組の番組データを記録再生可能で、かつ印刷番組情報を読取可能な携帯電話機やＰＤＡのように、情報読取装置と記録再生装置とを一体化した記録再生システム等の、この他種々の構成の記録再生システムに広く適用することができる。
【０３７４】
（２−１０）他の実施の形態１０
さらに上述した実施の形態においては、本発明による記録再生プログラムを、図１乃至図１０について上述した記録再生装置４のメモリ又はハードディスクドライブ４１に予め記録された記録再生プログラムに適用し、記録再生装置４の制御部４０が、その記録再生プログラムに従って図９及び図１０について上述した記録再生処理手順ＲＴ２を実行するようにした場合について述べた。
【０３７５】
しかしながら本発明は、これに限らず、記録再生装置４が記録再生プログラムの記録されたコンピュータ読取可能な記録媒体によって記録再生プログラムをインストールして、制御部４０が、そのインストールした記録再生プログラムに従って図９及び図１０について上述した記録再生処理手順ＲＴ２を実行するようにしても良い。
【０３７６】
また記録再生装置４では、ローカルエリアネットワークやインターネット、デジタル衛星放送等の有線及び無線通信媒体を利用して外部から記録再生プログラムをインストールするようにしても良い。
【０３７７】
そして記録再生プログラムを記録再生装置４にインストールして実行可能な状態にするためのコンピュータ読取可能な記録媒体としては、例えばフレキシブルディスクのようなパッケージメディアで実現しても良い。
【０３７８】
また記録再生プログラムを記録再生装置４にインストールして実行可能な状態にするためのコンピュータ読取可能な記録媒体としては、ＣＤ−ＲＯＭ（Compact  Disc-Read  Only  Memory）のようなパッケージメディアで実現しても良い。
【０３７９】
さらに記録再生プログラムを記録再生装置４にインストールして実行可能な状態にするためのコンピュータ読取可能な記録媒体としては、ＤＶＤ（Digital  Versatile  Disc）等のパッケージメディアで実現しても良い。
【０３８０】
さらに、かかるコンピュータ読取可能な記録媒体としては、パッケージメディアのみならず、各種プログラムが一時的もしくは永続的に記録される半導体メモリや磁気ディスク等で実現しても良い。
【０３８１】
また、これらコンピュータ読取可能な記録媒体に記録再生プログラムを記録する手段としては、ローカルエリアネットワークやインターネット、デジタル衛星放送等の有線及び無線通信媒体を利用しても良い。
【０３８２】
さらにコンピュータ読取可能な記録媒体に記録再生プログラムを記録する手段としては、ルータやモデム等の各種通信インタフェースを介して記録するようにしても良い。
【０３８３】
（２−１１）他の実施の形態１１
さらに上述した実施の形態においては、本発明による情報読取プログラムを、図１乃至図１０について上述した情報読取装置３のメモリに予め記録された情報読取プログラムに適用し、情報読取装置３の制御部３０が、その情報読取プログラムに従って図９及び図１０について上述した情報読取処理手順ＲＴ１を実行するようにした場合について述べた。
【０３８４】
しかしながら本発明は、これに限らず、情報読取装置３が情報読取プログラムの記録されたコンピュータ読取可能な記録媒体によって情報読取プログラムをインストールして、制御部３０が、そのインストールした情報読取プログラムに従って図９及び図１０について上述した情報読取処理手順ＲＴ１を実行するようにしても良い。
【０３８５】
また情報読取装置３では、ローカルエリアネットワークやインターネット、デジタル衛星放送等の有線及び無線通信媒体を利用して外部から情報読取プログラムをインストールするようにしても良い。
【０３８６】
そして情報読取プログラムを情報読取装置３にインストールして実行可能な状態にするためのコンピュータ読取可能な記録媒体としては、フレキシブルディスクやＣＤ−ＲＯＭ、ＤＶＤ等のようなパッケージメディアで実現しても良い。
【０３８７】
また、かかるコンピュータ読取可能な記録媒体としては、パッケージメディアのみならず、各種プログラムが一時的もしくは永続的に記録される半導体メモリや磁気ディスク等で実現しても良い。
【０３８８】
さらに、これらコンピュータ読取可能な記録媒体に情報読取プログラムを記録する手段としては、ローカルエリアネットワークやインターネット、デジタル衛星放送等の有線及び無線通信媒体を利用しても良い。
【０３８９】
さらにコンピュータ読取可能な記録媒体に情報読取プログラムを記録する手段としては、ルータやモデム等の各種通信インタフェースを介して記録するようにしても良い。
【０３９０】
（２−１２）他の実施の形態１２
さらに上述した実施の形態においては、所望の番組の番組データとして、図１乃至図１０について上述したデジタル系のテレビジョン放送の番組の番組データを適用するようにした場合について述べた。
【０３９１】
しかしながら本発明は、これに限らず、アナログ系のテレビジョン放送の番組の番組データや、ラジオ放送の番組の番組データ等のように、この他種々の番組の番組データを広く適用することができる。
【０３９２】
（２−１３）他の実施の形態１３
さらに上述した実施の形態においては、印刷物の印刷面に印刷された番組表内の所望の番組の印刷番組情報を読み取る情報読取装置から、当該印刷面の印刷番組情報が読み取られて送信されると、当該送信された印刷番組情報を受信する受信部として、図１乃至図１０について上述した赤外線通信用の無線通信部４７及び通信インタフェース４８を適用するようにした場合について述べた。
【０３９３】
しかしながら本発明は、これに限らず、Ｂｌｕｅ  ｔｏｏｔｈのような無線通信規格に準拠した受信部や、有線通信規格に準拠した受信部等のように、この他種々の受信部を広く適用することができる。
【０３９４】
（２−１４）他の実施の形態１４
さらに上述した実施の形態においては、現在日時と、受信部により受信された印刷番組情報とに基づいて、当該印刷番組情報が示す所望の番組の番組データを記録するか再生するかを判別する判別部として、図１乃至図１０について上述したマイクロコンピュータ構成の制御部４０を適用するようにした場合について述べた。
【０３９５】
しかしながら本発明は、これに限らず、ＣＰＵ（Central  Processing  Unit）や、現在日時と、受信部により受信された印刷番組情報とに基づいて、当該印刷番組情報が示す所望の番組の番組データを記録するか再生するかを判別するハードウェア回路構成の判別回路等のように、この他種々の構成の判別部を広く適用することができる。
【０３９６】
（２−１５）他の実施の形態１５
さらに上述した実施の形態においては、判別部により所望の番組の番組データを記録すると判別されると、印刷番組情報に基づいて所望の番組の番組データを記録する記録部として、図１乃至図１０について上述した制御部４０及びハードディスクドライブ４１を適用するようにした場合について述べた。
【０３９７】
しかしながら本発明は、これに限らず、ＣＰＵ及び半導体メモリや、ＣＰＵ及び光ディスク等のように、この他種々の構成の記録部を広く適用することができる。
【０３９８】
（２−１６）他の実施の形態１６
さらに上述した実施の形態においては、判別部により所望の番組の番組データを再生すると判別されると、印刷番組情報に基づいて、記録部によりすでに記録された所望の番組の番組データを再生する再生部として、図１乃至図１０について上述したデータ処理部４５を適用するようにした場合について述べた。
【０３９９】
しかしながら本発明は、これに限らず、ＣＰＵやマイクロコンピュータ等のように、この他種々の構成の再生部を広く適用することができる。
【０４００】
（２−１７）他の実施の形態１７
さらに上述した実施の形態においては、現在日時よりも後に放送予定の番組の番組データの記録を放送時間指定で予約する記録予約情報を生成する予約情報生成部として、図１乃至図１０について上述した制御部４０を適用するようにした場合について述べた。
【０４０１】
しかしながら本発明は、これに限らず、ＣＰＵや、現在日時よりも後に放送予定の番組の番組データの記録を放送時間指定で予約する記録予約情報を生成するハードウェア回路構成の予約情報生成回路等のように、この他種々の構成の予約情報生成部を広く適用することができる。
【０４０２】
（２−１８）他の実施の形態１８
さらに上述した実施の形態においては、放送予定の複数の電子番組情報が記述された電子番組案内情報を取得する案内情報取得部として、図１乃至図１０について上述したＥＰＧ抽出部４６及びハードディスクドライブ４１を適用するようにした場合について述べた。
【０４０３】
しかしながら本発明は、これに限らず、アナログ系のテレビジョン放送の電子番組案内情報を取得するＶＢＩ（Vertical  Blanking  Interval）スライサ及びデコーダ２１並びに半導体メモリ等のように、この他種々の構成の案内情報取得部を広く適用することができる。
【０４０４】
（２−１９）他の実施の形態１９
さらに上述した実施の形態においては、予約情報生成部により記録予約情報が生成されると、記録予約の完了を通知するための予約完了通知信号を情報読取装置に送信し、記録部により所望の番組の放送途中から番組データの記録が開始されると、当該記録開始を通知するための記録開始通知信号を情報読取装置に送信する送信部として、図１乃至図１０について上述した無線通信部４７及び通信インタフェース４８を適用するようにした場合について述べた。
【０４０５】
しかしながら本発明は、これに限らず、Ｂｌｕｅ  ｔｏｏｔｈのような無線通信規格に準拠した受信部や、有線通信規格に準拠した送信部等のように、この他種々の送信部を広く適用することができる。
【０４０６】
（２−２０）他の実施の形態２０
さらに上述した実施の形態においては、印刷物の印刷面に印刷された番組表内の所望の番組の印刷番組情報を撮像して撮像画像を生成する撮像部として、図１乃至図１０について上述した可視光源２２、近赤外光源２３、カメラ部２４及びカメラインタフェース３１を適用するようにした場合について述べた。
【０４０７】
しかしながら本発明は、これに限らず、不可視２次元コード１２Ｂのみを撮像する近赤外光源２３、カメラ部２４及びカメラインタフェース３１等のように、この他種々の構成の撮像部を広く適用することができる。
【０４０８】
（２−２１）他の実施の形態２１
さらに上述した実施の形態においては、撮像部により生成された撮像画像に基づいて印刷面から所望の番組の印刷番組情報を読み取る情報読取部として、図１乃至図１０について上述した番組情報読取部３３を適用するようにした場合について述べた。
【０４０９】
しかしながら本発明は、これに限らず、ＣＰＵやマイクロコンピュータ等のように、この他種々の構成の情報読取部を広く適用することができる。
【０４１０】
（２−２２）他の実施の形態２２
さらに上述した実施の形態においては、情報読取部により印刷面から読み取られた印刷番組情報を、番組データを記録再生する記録再生装置に対し所望の番組の番組データを記録するか再生するかを判別させるために当該記録再生装置に送信する送信部として、図１乃至図１０について上述した無線通信部３５及び通信インタフェース３４を適用するようにした場合について述べた。
【０４１１】
しかしながら本発明は、これに限らず、Ｂｌｕｅ  ｔｏｏｔｈのような無線通信規格に準拠した受信部や、有線通信規格に準拠した送信部等のように、この他種々の送信部を広く適用することができる。
【０４１２】
（２−２３）他の実施の形態２３
さらに上述した実施の形態においては、記録再生装置から、現在日時よりも後に放送予定の印刷番組情報が示す所望の番組の番組データを記録すると判別され当該番組データの記録を放送時間指定で予約する記録予約情報が生成されて、当該記録予約の完了を通知するための予約完了通知信号が送信されると、当該送信された予約完了通知信号を受信し、記録再生装置から、現在放送中の印刷番組情報が示す所望の番組の番組データを記録すると判別され当該所望の番組の放送途中から番組データの記録が開始されて、当該記録開始を通知するための記録開始通知信号が送信されると、当該送信された記録開始通知信号を受信する受信部として、図１乃至図１０について上述した無線通信部３５及び通信インタフェース３４を適用するようにした場合について述べた。
【０４１３】
しかしながら本発明は、これに限らず、Ｂｌｕｅ  ｔｏｏｔｈのような無線通信規格に準拠した受信部や、有線通信規格に準拠した受信部等のように、この他種々の受信部を広く適用することができる。
【０４１４】
（２−２４）他の実施の形態２４
さらに上述した実施の形態においては、受信部により予約完了情報が受信されると、印刷物の印刷面において所望の番組の印刷番組情報上にマークを印刷する印刷部として、図１乃至図１０について上述した印刷部２５を適用するようにした場合について述べた。
【０４１５】
しかしながら本発明は、これに限らず、通知内容毎に設けられた印刷部等のように、この他種々の印刷部を広く適用することができる。
【０４１６】
（２−２５）他の実施の形態２５
さらに上述した実施の形態においては、受信部により予約完了通知信号が受信されると、予約完了を通知する通知部として、図１乃至図１０について上述した通知部３６を適用するようにした場合について述べた。
【０４１７】
しかしながら本発明は、これに限らず、通知内容を光や振動、表示部への文字の表示等で通知する通知部等のように、この他種々の構成の通知部を広く適用することができる。
【産業上の利用可能性】
【０４１８】
本発明は、テレビジョン放送やラジオ放送の受信機能を有するハードディスクレコーダやテレビジョン受像機、携帯電話機等の記録再生装置や、カメラ付きリモートコントローラやカメラ付き携帯電話機等の情報読取装置に利用することができる。
【図面の簡単な説明】
【０４１９】
【図１】本発明による記録再生システムの全体構成の一実施の形態を示す略線図である。
【図２】印刷物の構成を示す略線図である。
【図３】不可視２次元コードの構成を示す略線図である。
【図４】情報読取装置の外観構成を示す略線的斜視図である。
【図５】情報読取装置における本体部の他端側の内部構成を示す略線的断面図である。
【図６】情報読取装置の回路構成を示すブロック図である。
【図７】可視インク及び不可視インクの特性を示す略線図である。
【図８】記録再生装置の回路構成を示すブロック図である。
【図９】番組データ記録再生処理手順（１）を示すフローチャートである。
【図１０】番組データ記録再生処理手順（２）を示すフローチャートである。
【符号の説明】
【０４２０】
１……記録再生システム、２……印刷物、３……情報読取装置、４……記録再生装置、１０……番組表、１２……印刷番組情報、１２Ａ……可視番組情報、１２Ｂ……不可視２次元コード、３０、４０……制御部、２１……圧力センサ、２２……可視光源、２３……近赤外光源、２４……カメラ部、２５……印刷部、３１……カメラインタフェース、３３……番組情報読取部、３４、４８……通信インタフェース、３５、４７……無線通信部、３６……通知部、４１……ハードディスクドライブ、記録部、４３Ａ乃至４３Ｃ……チューナ、４５……データ処理部、４６……ＥＰＧ抽出部、ＲＴ１……情報読取処理手順、ＲＴ２……記録再生処理手順。
【図１】
2010062646.tif 000003
【図２】
2010062646.tif 000004
【図３】
2010062646.tif 000005
【図４】
2010062646.tif 000006
【図５】
2010062646.tif 000007
【図６】
2010062646.tif 000008
【図７】
2010062646.tif 000009
【図８】
2010062646.tif 000010
【図９】
2010062646.tif 000011
【図１０】
2010062646.tif 000012